(57)【要約】【課題】容易に二次電池を充電して動作可能時間を延ばすことが可能なウェアラブル機器を提供すること。【解決手段】ウェアラブル機器としての生体情報測定装置１は、電力を蓄積する二次電池３３０と、非接触で電力を伝送する充電ポート３１０と、制御部２００と、を有し、制御部２００は、充電ポート３１０を介して二次電池３３０の電力を受電または給電する。【選択図】図１
2016144560.tif 000002
【特許請求の範囲】
【請求項１】
電力を蓄積する二次電池と、
非接触で電力を伝送する充電ポートと、
制御部と、を有し、
前記充電ポートを介して前記二次電池の電力を受電または給電すること、を特徴とするウェアラブル機器。
【請求項２】
前記制御部は、所定の範囲内に存在する他のウェアラブル機器との間で行う受電または給電の少なくとも一つを制御すること、を特徴とする請求項１に記載のウェアラブル機器。
【請求項３】
受電する前記他のウェアラブル機器、および給電する前記他のウェアラブル機器を、登録しておく登録機能を有していること、を特徴とする請求項２に記載のウェアラブル機器。
【請求項４】
前記他のウェアラブル機器に給電することを拒否するロック機能を有していること、を特徴とする請求項２または請求項３に記載のウェアラブル機器。
【請求項５】
前記他のウェアラブル機器の充電量が所定の値より多い場合に、前記他のウェアラブル機器から受電すること、を特徴とする請求項２から請求項４のいずれか一項に記載のウェアラブル機器。
【請求項６】
前記二次電池の充電量が前記所定の値より多い場合に、前記他のウェアラブル機器へ給電すること、を特徴とする請求項２から請求項５のいずれか一項に記載のウェアラブル機器。
【請求項７】
前記他のウェアラブル機器の使用時間が所定の時間より短い場合に、前記他のウェアラブル機器から受電すること、を特徴とする請求項２から請求項６のいずれか一項に記載のウェアラブル機器。
【請求項８】
使用時間が前記所定の時間より短い場合に、前記他のウェアラブル機器へ給電すること、を特徴とする請求項２から請求項７のいずれか一項に記載のウェアラブル機器。
【請求項９】
受電可能な前記他のウェアラブル機器をサーチする機能を備えていること、を特徴とする請求項２から請求項８のいずれか一項に記載のウェアラブル機器。
【請求項１０】
情報を報知する表示部を備え、
電力を受電し前記二次電池を充電している状態において、
前記表示部は、充電中であることを報知すること、を特徴とする請求項１から請求項９のいずれか一項に記載のウェアラブル機器。
【請求項１１】
受電または給電している状態において、
前記表示部は、前記二次電池の充電量を報知すること、を特徴とする請求項１０に記載のウェアラブル機器。
【請求項１２】
前記他のウェアラブル機器との間で行われる受電または給電は、
双方のウェアラブル機器のいずれか一方の前記二次電池の充電量が所定の閾値に達することで停止すること、を特徴とする請求項２から請求項１１のいずれか一項に記載のウェアラブル機器。
【請求項１３】
前記所定の閾値は、ユーザーにより設定されること、を特徴とする請求項１２に記載のウェアラブル機器。
【請求項１４】
請求項１から請求項１３のいずれか一項に記載のウェアラブル機器は生体情報測定装置であって、
健康状態が不健康と判定されたユーザーの前記生体情報測定装置は、他の生体情報測定装置に給電しないこと、を特徴とする生体情報測定装置。
【請求項１５】
前記健康状態は、過去に測定された生体情報に基づき判定されること、を特徴とする請求項１４に記載の生体情報測定装置。
【請求項１６】
前記健康状態は、脈拍、心拍、血圧、体重、ＢＭＩ、体脂肪、食事情報、睡眠状態、ストレス状態、拍動間異変、体動、運動記録の内の少なくとも一つに基づき判定されること、を特徴とする請求項１４または請求項１５に記載の生体情報測定装置。
【請求項１７】
前記健康状態は、医療従事者により判定され、
前記医療従事者によって判定された結果に基づいて、前記他の生体情報測定装置に給電しないように設定されること、を特徴とする請求項１４から請求項１６のいずれか一項に記載の生体情報測定装置。
【請求項１８】
請求項１４から請求項１７のいずれか一項に記載の生体情報測定装置と、
データベースと、を含んでいることを特徴とする生体情報測定システム。
【請求項１９】
電力を蓄積する二次電池と、
非接触で電力を伝送する充電ポートと、を有する生体情報測定装置の充電方法であって、
電力を受電可能な他の生体情報測定装置をサーチするステップと、
前記充電ポートを介して受電し前記二次電池を充電するステップと、
双方の生体情報測定装置のいずれか一方の前記二次電池の充電量が所定の閾値に達することで充電を停止するステップと、
を含んでいること、を特徴とする生体情報測定装置の充電方法。
【発明の詳細な説明】
【技術分野】
【０００１】
本発明は、ウェアラブル機器、生体情報測定装置、生体情報測定システム、および生体情報測定装置の充電方法に関する。
【背景技術】
【０００２】
従来、バンド等によって身体の部位に装着され、光学式や超音波式などの脈波検出センサーを用いて装着者の脈波などの生体情報を測定するウェアラブル機器が知られていた。例えば、特許文献１には、被検体（ユーザー）の指に装着し、光学式脈波センサーを用いて脈波、脈拍などの生体情報データを計測する生体情報測定装置が開示されている。この機器は無接点充電誘導部を有し、無接点充電器の無接点電磁誘導部と近接させられることにより、生体情報測定装置に備えられている蓄電池を充電するための電圧を発生する。
【先行技術文献】
【特許文献】
【０００３】
【特許文献１】特開２０１２−１９８１１号公報
【発明の概要】
【発明が解決しようとする課題】
【０００４】
このようなウェアラブル機器では、動作可能時間の長時間化が求められ、特許文献１に記載のウェアラブル機器（生体情報測定装置）は、二次電池（蓄電池）を充電するための無接点充電誘導部を備えている。しかしながら、市中において自由に使用可能な無接点充電器の設置は進んでおらず、容易にウェアラブル機器の二次電池を充電して動作可能時間を延ばすことが困難であった。
【課題を解決するための手段】
【０００５】
本発明は、上述の課題の少なくとも一部を解決するためになされたものであり、以下の形態または適用例として実現することが可能である。
【０００６】
［適用例１］本適用例に係るウェアラブル機器は、電力を蓄積する二次電池と、非接触で電力を伝送する充電ポートと、制御部と、を有し、前記充電ポートを介して前記二次電池の電力を受電または給電すること、を特徴とする。
【０００７】
本適用例によれば、ウェアラブル機器は、非接触で電力の受け渡しが可能な充電ポートを備えているので、ウェアラブル機器を使用しての移動中や測定中であっても電力を伝送（受電または給電）することができる。受電側のウェアラブル機器においては、受電した電力は二次電池に充電されるので、通常、電力源となるコンセントの無い屋外においても、容易に充電することができる。したがって、容易に二次電池を充電して動作可能時間を延ばすことが可能なウェアラブル機器を提供することができる。
【０００８】
［適用例２］上記適用例に記載のウェアラブル機器において、前記制御部は、所定の範囲内に存在する他のウェアラブル機器との間で行う受電または給電の少なくとも一つを制御すること、が好ましい。
【０００９】
本適用例によれば、ウェアラブル機器は、同様な充電ポートを有する他のウェアラブル機器との間で受電または給電を行うことができる。二次電池の充電量が少ない場合には他のウェアラブル機器から受電し、受電した電力は二次電池に充電されるので、ウェアラブル機器の動作可能時間を延ばすことができる。これにより、長時間計測が可能となり長期間に亘るライフログを残すことが可能となる。また、二次電池の充電量に余裕がある場合には他のウェアラブル機器に給電し、給電した電力は他のウェアラブル機器の二次電池に充電されるので、他のウェアラブル機器の動作可能時間を延ばすことができる。
【００１０】
［適用例３］上記適用例に記載のウェアラブル機器において、受電する前記他のウェアラブル機器、および給電する前記他のウェアラブル機器を、登録しておく登録機能を有していること、が好ましい。
【００１１】
本適用例によれば、ウェアラブル機器は、事前に登録された他のウェアラブル機器との間でのみ、受電または給電を行う。これにより、二次電池の電力の伝送を管理することができる。
【００１２】
［適用例４］上記適用例に記載のウェアラブル機器は、前記他のウェアラブル機器に給電することを拒否するロック機能を有していること、が好ましい。
【００１３】
本適用例によれば、ウェアラブル機器は、給電を拒否するロック機能を有しているので、ユーザーが関知しないところで他のウェアラブル機器に給電され、自身のウェアラブル機器の動作可能時間が短くなることを防止できる。
【００１４】
［適用例５］上記適用例に記載のウェアラブル機器は、前記他のウェアラブル機器の充電量が所定の値より多い場合に、前記他のウェアラブル機器から受電すること、が好ましい。
【００１５】
本適用例によれば、ウェアラブル機器は、充電量が所定の値より多い他のウェアラブル機器から受電し、充電量の少ない他のウェアラブル機器からは受電しないので、充電量の少ない他のウェアラブル機器の動作可能時間が短くなることを防ぐことができる。
【００１６】
［適用例６］上記適用例に記載のウェアラブル機器は、前記二次電池の充電量が前記所定の値より多い場合に、前記他のウェアラブル機器へ給電すること、が好ましい。
【００１７】
本適用例によれば、ウェアラブル機器は、充電量が所定の値より多く動作時間に余裕がある場合に、充電量の少ない他のウェアラブル機器へ給電することにより、他のウェアラブル機器の動作可能時間を延ばすことができる。
【００１８】
［適用例７］上記適用例に記載のウェアラブル機器は、前記他のウェアラブル機器の使用時間が所定の時間より短い場合に、前記他のウェアラブル機器から受電すること、が好ましい。
【００１９】
本適用例によれば、ウェアラブル機器は、時間使用が所定の時間より短く充電量の多い他のウェアラブル機器から受電し、長時間使用により充電量の少なくなった他のウェアラブル機器からは受電しないので、長時間使用により充電量の少なくなった他のウェアラブル機器の動作可能時間が短くなることを防ぐことができる。
【００２０】
［適用例８］上記適用例に記載のウェアラブル機器は、使用時間が前記所定の時間より短い場合に、前記他のウェアラブル機器へ給電すること、が好ましい。
【００２１】
本適用例によれば、ウェアラブル機器は、使用時間が所定の時間より短く動作時間に余裕がある場合に、充電量の少ない他のウェアラブル機器へ給電することにより、他のウェアラブル機器の動作可能時間を延ばすことができる。
【００２２】
［適用例９］上記適用例に記載のウェアラブル機器は、受電可能な前記他のウェアラブル機器をサーチする機能を備えていること、が好ましい。
【００２３】
本適用例によれば、ウェアラブル機器は、受電可能な他のウェアラブル機器をサーチする機能を備えているので、二次電池の充電量が少なくなった時、電力を受電して二次電池を充電することが可能な他のウェアラブル機器を容易に見つけることができる。
【００２４】
［適用例１０］上記適用例に記載のウェアラブル機器は、情報を報知する表示部を備え、電力を受電し前記二次電池を充電している状態において、前記表示部は、充電中であることを報知すること、が好ましい。
【００２５】
本適用例によれば、ウェアラブル機器の表示部には、二次電池を充電していることが報知されるので、ユーザーはウェアラブル機器が他のウェアラブル機器から受電し二次電池を充電中であることを容易に認知することができる。
【００２６】
［適用例１１］上記適用例に記載のウェアラブル機器は、受電または給電している状態において、前記表示部は、前記二次電池の充電量を報知すること、が好ましい。
【００２７】
本適用例によれば、ウェアラブル機器の表示部には、二次電池の充電量が報知されるので、ユーザーは受電による充電量の変動、または給電による充電量（充電残量）の変動を容易に認識することができる。
【００２８】
［適用例１２］上記適用例に記載のウェアラブル機器において、前記他のウェアラブル機器との間で行われる受電または給電は、双方のウェアラブル機器のいずれか一方の前記二次電池の充電量が所定の閾値に達することで停止すること、が好ましい。
【００２９】
本適用例によれば、受電側（充電する側）のウェアラブル機器、および給電側のウェアラブル機器のいずれか一方の充電量が所定の閾値に達することで、受電側のウェアラブル機器は充電を停止するので、給電側のウェアラブル機器の動作可能時間が著しく短くなることを防ぐことができる。
【００３０】
［適用例１３］上記適用例に記載のウェアラブル機器において、前記所定の閾値は、ユーザーにより設定されること、が好ましい。
【００３１】
本適用例によれば、所定の閾値はユーザーの希望する値に設定される。これにより、給電側のウェアラブル機器からは必要な充電量を残した余剰電力だけが給電され、受電側のウェアラブル機器は必要な充電量まで、または給電側の余剰電力だけを充電できるようになる。
【００３２】
［適用例１４］本適用例に係る生体情報測定装置は、上記適用例に記載のウェアラブル機器であって、健康状態が不健康と判定されたユーザーの前記生体情報測定装置は、他の生体情報測定装置に給電しないこと、を特徴とする。
【００３３】
本適用例によれば、不健康と判断されたユーザーは、生体情報を長時間に亘って測定する必要がある。不健康と判定されたユーザーの生体情報測定装置からの給電を禁止することで、生体情報測定装置の動作可能時間が短くなり、継続的な生体情報の記録が途絶えることを防ぐことができる。
【００３４】
［適用例１５］上記適用例に記載の生体情報測定装置において、前記健康状態は、過去に測定された生体情報に基づき判定されること、が好ましい。
【００３５】
本適用例によれば、生体情報測定装置を使用するユーザーの健康状態は、過去に測定された生体情報に基づき判定され、健康状態が不健康と判定された場合においては、誤って電力を給電しないように、予め給電を拒否するロック機能を有効に設定させておくことができる。
【００３６】
［適用例１６］上記適用例に記載の生体情報測定装置において、前記健康状態は、脈拍、心拍、血圧、体重、ＢＭＩ、体脂肪、食事情報、睡眠状態、ストレス状態、拍動間異変、体動、運動記録の内の少なくとも一つに基づき判定されること、が好ましい。
【００３７】
本適用例によれば、生体情報測定装置を使用するユーザーの健康状態を、正確に判定することができる。
【００３８】
［適用例１７］上記適用例に記載の生体情報測定装置において、前記健康状態は、医療従事者により判定され、前記医療従事者によって判定された結果に基づいて、前記他の生体情報測定装置に給電しないように設定されること、が好ましい。
【００３９】
本適用例によれば、生体情報測定装置を使用するユーザーの健康状態は医療従事者により判定され、電力の給電を拒否するロック機能は医療従事者により設定されるので、誤ってロック機能が解除されることを防ぐことができる。
【００４０】
［適用例１８］本適用例に係る生体情報測定システムは、上記適用例に記載の生体情報測定装置と、データベースと、を含んでいることを特徴とする。
【００４１】
本適用例によれば、生体情報測定システムは、非接触で電力の受け渡しが可能な充電ポートを備えた生体情報測定装置を有しているので、生体情報測定装置を使用しての移動中や測定中であっても電力を伝送（受電または給電）することが可能な生体情報測定システムを提供することができる。
【００４２】
［適用例１９］本適用例に係る生体情報測定装置の充電方法は、電力を蓄積する二次電池と、非接触で電力を伝送する充電ポートと、を有する生体情報測定装置の充電方法であって、電力を受電可能な他の生体情報測定装置をサーチするステップと、前記充電ポートを介して受電し前記二次電池を充電するステップと、双方の生体情報測定装置のいずれか一方の前記二次電池の充電量が所定の閾値に達することで充電を停止するステップと、を含んでいること、を特徴とする。
【００４３】
本適用例によれば、生体情報測定装置（受電側）の二次電池の充電量が少なくなった時、電力を受電して二次電池を充電することが可能な他の生体情報測定装置（給電側）を容易に見つけて、充電ポートを介して二次電池を充電することができる。また、受電側の生体情報測定装置、および給電側の生体情報測定装置のいずれか一方の充電量が所定の閾値に達することで、受電側の生体情報測定装置は充電を停止するので、給電側の生体情報測定装置の動作可能時間が著しく短くなることを防ぐことができる。したがって、容易に二次電池を充電して動作可能時間を延ばすこと、および給電側の生体情報測定装置の動作可能時間が短くなり継続的な生体情報の記録が途絶えることを防ぐこと、が可能な生体情報測定装置の充電方法を提供することができる。
【図面の簡単な説明】
【００４４】
【図１】実施形態１に係る生体情報測定システムの機能ブロック図。
【図２】（ａ）生体情報測定装置の概略を正面方向側から見た外観図。（ｂ）図１（ａ）における斜め上方向側から見た外観図。
【図３】図２（ａ）における側面方向側から見た外観図。
【図４】生体情報測定装置の装着及び携帯端末との通信についての概略を示す説明図。
【図５】センサー部の詳細な構成例を示す正断面図。
【図６】生体情報測定装置の充電方法を示すフローチャート。
【図７】過去に測定された生体情報としての脈波（脈拍数）を表す図。
【図８】各種の生体情報により健康状態を判定するテーブル。
【図９】（ａ）充電中に表示される報知画面を示す図。（ｂ）給電中に表示される報知画面を示す図。
【図１０】従来例の生体情報測定装置としての心拍数監視装置を示す断面図。
【図１１】実施形態２に係る生体情報測定装置としての心拍数監視装置を示す斜視図。
【図１２】実施形態３に係る生体情報測定装置としての心拍数監視装置を示す側面図。
【図１３】実施形態４に係る生体情報測定装置としての心拍数監視装置を示す斜視図。
【図１４】実施形態５に係る生体情報測定装置としての心拍数監視装置を示す断面図。
【図１５】生体情報測定装置を製造する方法のフローチャート。
【図１６】実施形態６に係る生体情報測定装置におけるヘルスマネージャーの起点となるウェブページの概略を示す図。
【図１７】栄養ウェブページの一例を示す図。
【図１８】活動レベルウェブページの一例を示す図。
【図１９】精神集中ウェブページの一例を示す図。
【図２０】睡眠ウェブページの一例を示す図。
【図２１】毎日の活動ウェブページの一例を示す図。
【図２２】健康度ウェブページの一例を示す図。
【発明を実施するための形態】
【００４５】
以下、本発明の実施形態について、図面を参照して説明する。なお、以下の各図においては、各層や各部材を認識可能な程度の大きさにするため、各層や各部材の尺度を実際とは異ならせている。
【００４６】
（実施形態１）
＜生体情報測定システムの全体構成例＞
【００４７】
図１は、生体情報測定システムの機能ブロック図である。図１に示すように生体情報測定システム５００は、ウェアラブル機器としての生体情報測定装置１と、データベース４５０と、を含んでいる。
【００４８】
生体情報測定装置１は、センサー部４０、制御部２００、記憶部２４０、通信部２５０、表示部２６０、二次電池３３０、第１の充電ポート３１０、第２の充電ポート３２０、Ａ／Ｄコンバーター１９０、振動発生部１８０を含んでいる。
【００４９】
センサー部４０は、生体情報を検出する、脈波センサー４２、加速度センサー４４、体温計４６、を含んでいる。脈波センサー４２は、ユーザーの脈波を検出するセンサーであり、光学式や超音波式などの検出方法を用いることができる。本実施形態では、光学式の光電センサーを用いており、光電センサーにより検出された信号を、脈波検出信号として出力する。
【００５０】
加速度センサー４４は、ユーザーの体動を検出する体動センサーであり、体動に応じて変化する信号である体動検出信号を出力する。なお、体動センサーとして、圧力センサーやジャイロセンサーなどを用いてもよい。体温計４６は、ユーザーの体温を検出する温度センサーであり、温度センサーにより検出された体温信号を出力する。温度センサーとしては、サーミスタ式や赤外線式などによる検出方法を用いることができる。センサー部４０は、脈波センサー４２、加速度センサー４４、体温計４６により検出された生体情報の信号をＡ／Ｄコンバーター１９０に出力し、Ａ／Ｄコンバーター１９０は、入力された信号をデジタルデータに変換して制御部２００に出力する。
【００５１】
制御部２００は、例えば記憶部２４０をワーク領域として、各種の信号処理や制御処理を行うものであり、例えばＣＰＵ等のプロセッサー或いはＡＳＩＣなどの論理回路により実現できる。制御部２００は、信号処理部２１０、拍動演算部２２０、報知制御部２３０を含んでいる。
【００５２】
信号処理部２１０は各種の信号処理（フィルター処理等）を行うものであり、例えば、脈波センサー４２からの脈波検出信号、加速度センサー４４からの体動検出信号、体温計４６からの体温信号などに対して信号処理を行う。例えば信号処理部２１０は図示しない体動ノイズ低減部を含んでいる。体動ノイズ低減部は、加速度センサー４４からの体動検出信号に基づいて、脈波検出信号から、体動に起因したノイズである体動ノイズを低減（除去）する処理を行う。具体的には、適応フィルターなどを用いたノイズ低減処理を行う。
【００５３】
拍動演算部２２０は、信号処理部２１０からの信号等に基づいて、拍動情報の演算処理を行う。拍動情報は例えば脈拍数などの情報である。具体的には、拍動演算部２２０は、体動ノイズ低減部でのノイズ低減処理後の脈波検出信号に対してＦＦＴ（高速フーリエ変換：Ｆａｓｔ  Ｆｏｕｒｉｅｒ  Ｔｒａｎｓｆｏｒｍ）等の周波数解析処理を行って、スペクトルを求め、求めたスペクトルにおいて代表的な周波数を心拍の周波数とする処理を行う。求めた周波数を６０倍にした値が、一般的に用いられる脈拍数（心拍数）となる。なお、拍動情報は脈拍数そのものには限定されず、例えば脈拍数を表す他の種々の情報（例えば心拍の周波数や周期等）であってもよい。また、拍動の状態を表す情報であってもよく、例えば血液量そのものを表す値を拍動情報としてもよい。
【００５４】
報知制御部２３０は表示部２６０を制御する。表示部２６０は、報知制御部２３０の制御により、ユーザーに各種の情報を表示する。また報知制御部２３０は振動発生部１８０の制御を行う。振動発生部１８０は、振動により各種の情報をユーザーに報知するものである。振動発生部１８０は例えば振動モーター（バイブレーター）により実現できる。振動モーターは、例えば、偏心した錘を回転させることで振動を発生する。具体的には駆動軸（ローター軸）の両端に偏心した錘を取り付けてモーター自体が揺れるようにする。振動発生部１８０の振動は報知制御部２３０により制御される。なお振動発生部１８０はこのような振動モーターには限定されず、種々の変形実施が可能である。例えばピエゾ素子などにより振動発生部１８０を実現してもよい。
【００５５】
振動発生部１８０による振動により、例えば電源オン時のスタートアップの報知、初回の脈波検出の成功の報知、脈波が検出できない状態が一定時間続いた時の警告、脂肪燃焼ゾーンの移動時の報知、電池電圧低下時の警告、起床アラームの通知、或いはスマートフォン等の携帯端末４２０からのメールや電話等の通知などが可能になる。なお、これらの情報の伝達は、表示部２６０に表示してもよいし、振動発生部１８０、表示部２６０の両者を用いてもよい。
【００５６】
通信部２５０は、外部の携帯端末４２０との通信処理を行う。例えば、ブルートゥース（Ｂｌｕｅｔｏｏｔｈ（登録商標））などの通信規格にしたがった無線通信の処理を行う。具体的には、通信部２５０は、アンテナからの信号の受信処理や、アンテナへの信号の送信処理を行う。この通信部２５０の機能は通信用のプロセッサー或いはＡＳＩＣなどの論理回路により実現できる。なお、通信部２５０はＥｔｈｅｒｎｅｔ（登録商標）等の有線通信を備えていてもよい。
【００５７】
記憶部２４０は、生体情報の測定データ、各種テーブル等の格納や制御部２００のプログラム、作業領域等を確保するためのものであり、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒy）などの記憶素子を有する。
【００５８】
充電ポート３１０は、所謂、電磁誘導を利用した無接点充電を行うコイルを備えたポートである。本実施形態の生体情報測定装置１は、制御部２００の制御により充電ポート３１０を用いて非接触で二次電池３３０の電力の伝送（受電または給電）を行う。一例として、同一構成の他の生体情報測定装置（給電側）から生体情報測定装置１（受電側）に電力を伝送する場合について説明する。他の生体情報測定装置の充電ポートに備えられたコイルを一次コイルとし、生体情報測定装置１の充電ポートに備えられたコイルを二次コイルとする。制御部２００は、一次コイル側に電流を流すことで発生する磁束を介して、二次コイル側に生じる電力（起電力）で二次電池３３０を充電する。なお、生体情報測定装置１を給電側として使用することで、他の生体情報測定装置に電力を給電することができる。また、本実施形態の生体情報測定装置１は、図示しない専用の無接点充電器との間で効率的に電力を受電する充電ポート３２０を備えている。
【００５９】
データベース４５０は、制御部４７０、記憶部４８０、通信部４６０を含んでいる。データベース４５０としては、汎用のパーソナルコンピューターを用いることもできる。通信部４６０は、携帯端末４２０を介して生体情報測定装置１から出力される生体情報の測定データの収集を行う。制御部４７０は、収集された生体情報の測定データの解析を行いユーザーの健康状態などを判断するものである。記憶部４８０は、生体情報の測定データやユーザーの健康状態などの判断を行うためのプログラムや各種テーブルなどを格納するものである。
【００６０】
生体情報測定装置１と携帯端末４２０との間をブルートゥースなどの低出力の通信規格で結び、携帯端末４２０とデータベース間を携帯電話網などの通信規格で結ぶことで、生体情報測定装置１の消費電力を抑えての長距離通信が可能となる。これにより、生体情報測定装置１の動作可能時間を長時間化させることができる。なお、生体情報測定装置１とデータベース４５０とが無線通信または有線通信で直接接続されていてもよい。
【００６１】
図２（ａ）、図２（ｂ）、図３に、実施形態１に係る生体情報測定装置の概略の外観図を示す。図２（ａ）は、生体情報測定装置を正面方向側から見た図であり、図２（ｂ）は、図２（ａ）における斜め上方向側から見た図であり、図３は側面方向側から見た図である。なお、本実施形態の生体情報測定装置は図２（ａ）、図２（ｂ）、および図３の構成に限定されず、その構成要素の一部を省略したり、他の構成要素に置き換えたり、他の構成要素を追加したりするなどの種々の変形実施が可能である。
【００６２】
図２（ａ）、図２（ｂ）、および図３に示すように本実施形態の生体情報測定装置１はバンド部１０とケース部３０とを有している。ケース部３０はバンド部１０に取り付けられている。バンド部１０は装着者（以下、ユーザーともいう）の手首に巻き付けて生体情報測定装置１を装着するためのものである。バンド部１０はバンド穴１２、バックル部１４を有している。バックル部１４はバンド挿入部１５と突起部１６を有している。ユーザーは、バンド部１０の一端側を、バックル部１４のバンド挿入部１５に挿入し、バンド部１０のバンド穴１２にバックル部１４の突起部１６を挿入することで、生体情報測定装置１を手首に装着する。
【００６３】
ケース部３０は、生体情報測定装置１の本体部に相当するものである。ケース部３０の内部には、センサー部４０、制御部２００（図１参照）等の生体情報測定装置１の種々の構成部品、および電力を蓄積する二次電池３３０（図１参照）が備えられている。即ち、ケース部３０は、これらの構成部品を収納する筐体である。このケース部３０は、例えば手首と反対側に位置するトップケース３４と、手首側に位置するボトムケース３６を有する。ケース部３０のトップケース側には表示部２６０が設けられ、その外周の内部には充電ポート３１０，３２０を形成するコイルが設けられている。また、ボトムケース側には後述する凸部５２が設けられている。なおケース部３０は、トップケース３４とボトムケース３６に分離される態様のものでなくてもよい。
【００６４】
表示部２６０は、時刻、測定された生体情報、二次電池の充電量など、各種情報を表示するためのものであり、例えば、液晶ディスプレイ、有機ＥＬディスプレイや電子ペーパーディスプレイなどで構成できる。特に、有機ＥＬディスプレイ、電子ペーパーディスプレイで構成した場合には、省電力で駆動するため、より長時間測定が可能になる。
また、表示部２６０は、タッチパネル式の入力手段を備えている。例えば、表示部２６０に表示された情報をタップ（ｔａｐ）する等の入力操作を行うことで、その情報が選択入力される。タッチパネルは、静電容量方式や抵抗膜方式などで構成できる。
【００６５】
図３に示すようにケース部３０には端子部３５が設けられている。生体情報測定装置１を図示しないクレードルに装着すると、クレードルの端子部とケース部３０の端子部３５とが電気的に接続される。これによりケース部３０に設けられる二次電池（バッテリー）の充電が可能になる。
【００６６】
図４は生体情報測定装置１の装着及び携帯端末４２０との通信についての概略を示す説明図である。図４に示すように被検体であるユーザーは手首４１０に生体情報測定装置１を時計のように装着する。図３に示すように、ケース部３０の被検体側の面にはセンサー部４０が設けられている。従って、生体情報測定装置１が装着されると、センサー部４０の凸部５２が手首４１０の皮膚表面に接触して押圧を与え、その状態でセンサー部４０の各種センサーが脈波等の生体情報を検出する。
【００６７】
生体情報測定装置１と携帯端末４２０は通信接続されて、データのやり取りが可能になっている。携帯端末４２０は、例えばスマートフォン、フィーチャーフォン等の携帯通信端末である。或いは携帯端末４２０は、タブレット型コンピューター等の情報処理端末であってもよい。生体情報測定装置１と携帯端末４２０の通信接続としては、例えばブルートゥース等の近距離無線通信を採用できる。また、Ｅｔｈｅｒｎｅｔ等の有線通信で接続させてもよい。
【００６８】
腕時計型の生体情報測定装置１に備えられている表示部２６０の表示エリアは狭く、そこに表示可能な情報量も限られる。このように生体情報測定装置１と携帯端末４２０が通信接続されることで、携帯端末４２０の表示部４３０（ＬＣＤ等）に、脈拍数や消費カロリーなどの詳細な情報や、蓄積された生体情報をグラフ化したデータなどが表示できる。逆に、携帯端末４２０においてメール等を受信した場合には、その情報を携帯端末４２０から生体情報測定装置１に転送させることもできる。なお、脈拍数や消費カロリーなどの情報の演算処理は、生体情報測定装置１において実行してもよいし、その少なくとも一部を携帯端末４２０において実行してもよい。
【００６９】
＜脈波センサーの構成例＞
次に、センサー部４０の脈波センサー４２の構成例について説明する。図５は、脈波センサー４２の詳細な構成例を示す正断面図である。
【００７０】
脈波センサー４２は、図５に示すように、基板１６０と、発光部１５０と、受光部１４０と、遮光用部材７０と、絞り部８０（８０ａ，８０ｂ）とを有する光検出ユニットと、他の部材とから構成されている。他の部材とは、透光部材５０により実現される凸部５２、溝部５４、凹部５６、押圧抑制部５８等である。
【００７１】
受光部１４０と発光部１５０とは、所定の間隔を有して基板１６０（センサー基板）に実装されている。発光部１５０はユーザー（被検体）に対して光を射出し、受光部１４０は被検体からの光（反射光、透過光等）を受光する。例えば発光部１５０が光を射出し、その光が被検体（例えば血管）により反射されると、受光部１４０がその反射光を受光して検出する。発光部１５０は、例えばＬＥＤ等の発光素子により実現できる。受光部１４０は、例えば、フォトダイオード等の受光素子や、半導体の基板に形成されたＰＮ接合のダイオード素子などにより実現できる。この場合に、受光角度を絞るための角度制限フィルターや受光素子に入射する光の波長を制限する波長制限フィルター（光学フィルター膜）を、このダイオード素子上に形成してもよい。
【００７２】
なお、発光部１５０に設けられるドーム型レンズ１５１（広義には集光レンズ）は、発光部１５０に樹脂封止（光透過樹脂で封止）されるＬＥＤチップ（広義には発光素子チップ）からの光を集光するためのレンズである。即ち、表面実装型の発光部１５０では、ＬＥＤチップがドーム型レンズ１５１の下方に配置されており、ＬＥＤチップからの光は、ドーム型レンズ１５１により集光されて被検体に射出される。これにより光検出ユニットの光学的な効率を向上できる。
【００７３】
発光部１５０からの光は、対象物である被検体の内部を進み、表皮、真皮及び皮下組織等で拡散、または散乱する。その後、この光は、血管（被検出部位）に到達し、反射される。この際に、光の一部は血管により吸収される。そして、脈拍の影響により血管での光の吸収率が変化し、反射光の光量も変化するため、受光部１４０がこの反射光を受光して、その光量の変化を検出することで、生体情報である脈拍数等を検出できるようになる。
【００７４】
受光部１４０と発光部１５０との間には、遮光部としての遮光用部材７０（遮光壁１００）が設けられている。この遮光用部材７０（遮光壁１００）は、例えば発光部１５０からの光（直接光等）が受光部１４０に直接入射されるのを遮光する。そして、この遮光用部材７０（遮光壁１００）は、例えば板金加工により形成することができる。なお、遮光用部材７０（遮光壁１００）は、他にも金属材料以外の材料として、ゴム等の樹脂（天然樹脂及び合成樹脂を含む）があげられる。
【００７５】
遮光部としての遮光用部材７０は、光の遮光を行うための部材である。本実施形態では、遮光用部材７０は、受光部１４０と発光部１５０との間に遮光壁１００として設けられ、受光部１４０を遮光している。なお、遮光用部材７０は受光部１４０の一部を覆うように設けられ、受光部１４０への入射光を遮光する構成であってもよい。このような遮光用部材７０（遮光壁１００）により、発光部１５０からの光（直接光）が受光部１４０に入射されるのを抑制しながら検出性能を向上できる。
【００７６】
また、遮光部としての遮光用部材７０（遮光壁１００）の少なくとも受光部１４０の面には、反射抑制加工を行うことが望ましい。例えば遮光用部材７０の表面（内側面等）の色を、黒色等の所定色にして、光の乱反射を防ぐようにする。或いは、遮光用部材７０の表面をモスアイ構造にしてもよい。例えば数十〜数百ｎｍ周期の凹凸構造を表面に形成して、反射防止構造とする。このような反射抑制加工をすれば、例えば遮光用部材７０の表面での反射光が迷光となって、検出信号のノイズ成分となってしまう事態を効果的に抑制できる。
【００７７】
受光部１４０、発光部１５０、および遮光部としての遮光用部材７０（遮光壁１００）は、基板１６０に実装される。基板１６０は、例えばリジッド基板である。基板１６０には、受光部１４０の信号・電源の端子（図示せず）と接続するための端子（図示せず）や、外部のメイン基板との間で信号・電源を接続するための端子（図示せず）が設けられている。例えば受光部１４０の端子と基板１６０の端子とは、ワイヤボンディング等により接続される。
【００７８】
また、センサー部４０には絞り部８０（８０ａ，８０ｂ）が設けられている。絞り部８０は、被検体とセンサー部４０の間の光路において、被検体からの光を絞ったり、発光部１５０からの光を絞ったりする。図５では、絞り部８０は、透光部材５０と発光部１５０の間に設けられている。但し、絞り部８０を透光部材５０と被検体との間や透光部材５０内に設けてもよい。
【００７９】
透光部材５０は、生体情報測定装置の被検体に接触する側の面に設けられ、被検体からの光を透過する。また透光部材５０は、被検体の生体情報の測定時に、被検体に接触する。例えば透光部材５０の凸部５２（検出窓）が被検体に接触する。なお凸部５２の表面形状は、曲面形状（球面形状）であることが望ましいが、これに限定されるものではなく、種々の形状を採用できる。また、透光部材５０は、被検体からの光の波長を透過することができるものであればよく、透明な材料を用いてもよいし、有色の材料を用いてもよい。
【００８０】
透光部材５０の凸部５２の周囲には、押圧変動等を抑制するための溝部５４が設けられている。また、透光部材５０において凸部５２が設けられる側の面を第１の面とした場合に、透光部材５０は、その第１の面の裏側の第２の面において凸部５２に対応する位置に、凹部５６を有している。この凹部５６のスペースに、受光部１４０、発光部１５０、遮光用部材７０、絞り部８０が設けられている。
【００８１】
また生体情報測定装置の被検体側の面には、凸部５２が被検体（手首の肌）に与える押圧を抑制する押圧抑制部（第２凸部）５８が設けられている。図５では押圧抑制部５８は、透光部材５０の凸部５２を囲むように設けられている。そして、凸部５２は、押圧抑制部（押圧抑制面）５８よりも被検体側に突出している。
【００８２】
このような凸部５２を設けることで、例えば静脈消失点を超えるための初期押圧を被検体に対して与えることが可能になる。また、凸部５２が被検体に与える押圧を抑制するための押圧抑制部５８を設けることで、生体情報測定装置により生体情報の測定を行う使用範囲において、押圧変動を最小限に抑えることが可能になり、ノイズ成分等の低減を図れる。また、凸部５２が押圧抑制部５８から突出していれば、凸部５２が被検体に接触して初期押圧を与えた後に、押圧抑制部５８が被検体に接触して、凸部５２が被検体に与える押圧を抑制できるようになる。ここで静脈消失点とは、被検体に凸部５２を接触させ押圧を次第に強くした時に、脈波信号に重畳された静脈に起因する信号が消失、または脈波測定に影響しない程度に小さくなる点のことである。
【００８３】
次に、ウェアラブル機器としての生体情報測定装置の充電方法について図６を用いて説明する。図６は、生体情報測定装置の充電方法を示すフローチャートである。
生体情報測定装置１の制御部２００は、所定の範囲内に存在する他のウェアラブル機器（他の生体情報測定装置）との間で行う受電（充電）または給電の少なくとも一方を制御することができる。なお、本実施形態では、生体情報測定装置１が、同様の電磁誘導を利用して電力を給電または受電することが可能な充電ポートを備えた他の生体情報測定装置から受電する方法を示す。また、以下の説明では、受電側（充電側）の生体情報測定装置１を「受電側機器」、給電側の他の生体情報測定装置を「給電側機器」とも称する。
【００８４】
まず、ステップＳ１０１では、受電側機器は給電側機器をサーチする。生体情報測定装置１（受電側機器）は、電力を受電可能な他の生体情報測定装置（給電側機器）をサーチする機能を備えており、受電側機器は、受電可能な給電側機器が存在するかを判断する。生体情報測定装置１の制御部２００は、例えばブルートゥースなどの無線通信を用いて給電側機器の記憶部またはデータベース４５０の記憶部４８０に格納されているデータを参照し、以下の（ａ）〜（ｅ）に示すチェック項目を確認する。（ａ）給電側機器は給電可能な所定の範囲内にあるか。（ｂ）給電側機器は事前登録されているか。（ｃ）給電側機器の充電量は所定の値より多いか。（ｄ）給電側機器は所定の使用時間より短いか。（ｅ）給電側機器は給電拒否に設定されていないか。（ａ）〜（ｅ）のいずれか一つが該当する、もしくは複数が該当する受電側機器が存在する場合（Ｓ１０１：Ｙｅｓ）はステップＳ１０２へ進み、受電側機器が存在しない場合（Ｓ１０１：Ｎｏ）にはフローを終了する。（ａ）〜（ｅ）のどのチェック項目を確認するかの設定はユーザーが行ってもよい。
【００８５】
次のステップＳ１０２では、給電側機器から受電側機器へ充電（給電）する。受電側機器は、給電側機器から充電ポート３１０を介して受電し二次電池３３０を充電する。具体的には、受電側機器（生体情報測定装置１）の制御部２００から送信された信号により、給電側機器は、充電ポートのコイル（一次コイル）に電流を流す。受電側機器は一次コイルで発生した磁束を介して、充電ポート３１０のコイル（二次コイル）で生じた電力を二次電池３３０に充電する。
【００８６】
ステップＳ１０３では、給電側機器の充電量は所定の閾値以上かを判断する。給電器側機器の所定の閾値はユーザーにより設定される。例えば、閾値はユーザーが次に充電可能な時間などに基づき決められる。給電側機器の充電量が所定の閾値以上の場合（Ｓ１０３：Ｙｅｓ）はステップＳ１０４へ進み、閾値未満の場合（Ｓ１０３：Ｎｏ）は受電（充電）を終了する。
【００８７】
ステップＳ１０４では、受電側機器の充電量が所定の閾値以下かを判断する。受電側機器および給電側機器の所定の閾値はそのユーザーにより設定される。例えば、閾値はユーザーの希望する連続動作時間などに基づき決められる。受電側機器の充電量が所定の閾値以下の場合（Ｓ１０４：Ｙｅｓ）はステップＳ１０２に戻りステップＳ１０２からステップＳ１０４を繰り返す。閾値を超えた場合（Ｓ１０４：Ｎｏ）は受電（充電）を終了する。ステップＳ１０３およびステップＳ１０４によって、受電側機器は受電側機器および給電側機器の双方の生体情報測定装置のいずれか一方の二次電池の充電量が所定の閾値に達することで充電を停止する。
【００８８】
以上のステップを経て、給電側機器から受電側機器（生体情報測定装置１）に電力が給電され二次電池３３０が充電される。この充電方法により、給電側の生体情報測定装置からは必要な充電量を残した余剰電力だけが給電され、受電側の生体情報測定装置１の二次電池３３０には必要な充電量まで、または給電側の余剰電力だけが充電される。
【００８９】
なお、本実施形態では、生体情報測定装置１を受電側機器に、他の生体情報測定装置を給電側機器に用いて、他の生体情報測定装置から生体情報測定装置１への受電方法について説明したが、生体情報測定装置１を給電側機器に、他の生体情報測定装置を受電側機器に用いた場合には、生体情報測定装置１から他の生体情報測定装置への給電方法の説明となる。
【００９０】
次に、上述したステップＳ１０１における（ａ）〜（ｅ）までのチェック項目について詳述する。
【００９１】
（ａ）給電側機器は給電可能な所定の範囲内にあるか。
電磁誘導を利用した受電（充電）は給電側機器で生じる磁束の届く範囲に受電側機器を近づける必要があるので、受電側機器は、磁束の届く範囲内または磁束が届く範囲内に容易に移動可能な位置に給電側機器があるかをチェックする。
【００９２】
（ｂ）給電側機器は事前登録されているか。
生体情報測定装置１は、受電する他の生体情報測定装置、および給電する他の生体情報測定装置を、登録しておく登録機能を有している。生体情報測定装置１（受電側機器）の事前登録機能が有効に設定されている場合には、受電側機器は（ａ）で確認された給電側機器が事前登録されているかをチェックする。これにより二次電池の電力の伝送を管理することができる。
【００９３】
（ｃ）給電側機器の充電量は所定の値より多いか。
生体情報測定装置１（受電側機器）は、他のウェアラブル機器の充電量が所定の値より多い場合に、他の生体情報測定装置（給電側機器）から受電するように設定されているので、受電側機器は、給電側機器の二次電池の充電量を確認する。これにより、充電量の少ない給電側機器の動作可能時間が短くなることを防ぐことができる。
【００９４】
（ｄ）給電側機器は所定の使用時間より短いか。
生体情報測定装置１（受電側機器）は、他のウェアラブル機器の使用時間が所定の時間より短い場合に、他の生体情報測定装置（給電側機器）から受電するように設定されているので、受電側機器は、給電側機器の使用時間を確認する。これにより、使用時間が長く充電量の少なくなった給電側機器の動作可能時間が短くなることを防ぐことができる。
【００９５】
（ｅ）給電側機器は給電拒否に設定されていないか。
生体情報測定装置（給電側機器）は、他の生体情報測定装置（受電側機器）に給電することを拒否するロック機能を有しているので、生体情報測定装置１（受電側機器）は、給電側機器のロック機能が有効に設定されているかを確認する。これにより、給電側機器のユーザーは、自身の関知しないところで他の生体情報測定装置に給電され、自身の生体情報測定装置の動作可能時間が短くなることを防止できる。
【００９６】
次に、生体情報測定装置１を給電側機器に用いた場合のロック機能について説明する。健康状態が不健康と判定されたユーザーの生体情報測定装置１は、他の生体情報測定装置に給電しないようにロック機能が有効に設定される。ロック機能の設定方法には、（ｆ）生体情報測定装置１がユーザーの過去に測定された生体情報に基づき健康状態を判定しロック機能を有効に設定する場合、（ｇ）医療従事者がユーザーの健康状態を判定し生体情報測定装置１のロック機能を有効に設定する場合、がある。
【００９７】
（ｆ）生体情報測定装置がユーザーの過去に測定された生体情報に基づき健康状態を判定しロック機能を有効に設定する場合について説明する。
図７は、過去に測定された生体情報としての脈波（脈拍数）を表す図である。横軸は測定時間を示し、縦軸は脈拍数を示している。図７には、例として３人のユーザーＡ，Ｂ，Ｃの生体情報が表示されている。
【００９８】
ユーザーＡの脈拍数は、「６３」で安定している場合を表している。ユーザーＢの脈拍は、規則的に脈拍数が「６５」に上昇する特異点を有している場合を表している。ユーザーＣの脈拍は、常に不規則に変動している場合を表している。
生体情報測定装置１は、ユーザーＡの健康状態を良好と判定する。生体情報測定装置１は、ユーザーＢおよびユーザーＣの健康状態を不健康と判定し、他の生体情報測定装置に電力を給電しないようにロック機能を有効に設定する。これにより、不健康なユーザーが所有する生体情報測定装置１の動作可能時間が短くなることを防ぐことができる。
【００９９】
また、生体情報測定装置１は各種のセンサーを備え、ユーザーの健康状態を脈拍、心拍、血圧、体重、ＢＭＩ、体脂肪、食事情報、睡眠状態、ストレス状態、拍動間異変、体動、運動記録、体温の内の少なくとも一つに基づいて判定させてもよい。
図８は、各種の生体情報により健康状態を判定するテーブルである。本テーブルの一列目には各種の生体情報、二列目には各種の生体情報を得るために必要なセンサー、三列目にはユーザーの健康状態を不健康と判断する一例、が示されている。生体情報測定装置１の記憶部２４０または、データベース４５０の記憶部４８０には、具体的な数値が記されたテーブルが格納されており、生体情報測定装置１の制御部２００は、測定または入力された生体情報と本テーブルとを比較して、ユーザーの健康状態を判定する。これにより、ユーザーの健康状態を正確に判定することができる。
【０１００】
（ｇ）医療従事者がユーザーの健康状態を判定し生体情報測定装置１のロック機能を有効に設定する場合について説明する。
生体情報測定装置１は、医療従事者によって他の生体情報測定装置に給電しないようにロック機能を有効にする入力手段を有している。ユーザーの健康状態は、検診や過去に測定された生体情報に基づいて医療従事者により判定される。医療従事者はユーザーの健康状態を不健康と判定した場合に、例えば入力手段としてのタッチパネル（表示部２６０）をタップするなどの医療従事者向けに予め決められた入力操作をすることで、他の生体情報測定装置に給電しないロック機能を有効に設定する。これにより、誤ってロック機能が解除されることを防ぐことができる。
【０１０１】
次に、生体情報測定装置１が受電（充電）または給電している状態において、表示部２６０に表示される表示内容について説明する。図９（ａ）は充電中に表示される報知画面であり、図９（ｂ）は給電中に表示される報知画面である。
図９（ａ），（ｂ）に示すように、表示部２６０に表示される報知画面２６３，２６４は、計測された脈拍数（例えば「６３」）を示す脈拍表示２７１と、電池マーク２７２と、充電量表示２７３と、充電中表示２７５または給電中表示２７６とを含んでいる。脈拍表示２７１は、計測された脈拍数（例えば「６３」）を表し報知画面２６３，２６４の中央に示されている。
【０１０２】
生体情報測定装置１が受電（充電）または給電している状態において、表示部２６０は、二次電池３３０の充電量を報知する。詳しくは、制御部２００は、記憶部２４０に格納されている二次電池３３０の充電量を参照し、報知制御部２３０を制御して充電量を電池マーク２７２および充電量表示２７３に報知する。電池マーク２７２は、二次電池３３０の充電量をグラフィックで表し、例えば、報知画面２６３，２６４の右上に設けられている。充電量表示２７３は、二次電池３３０の充電量を数値で表す。充電量表示２７３と電池マーク２７２とを組み合わせて表示することで「７５％」が二次電池３３０の充電量を示すことを直感的に伝えることができる。また、ユーザーは受電による充電量の変動、または給電による充電量（充電残量）の変動を容易に認識することができる。
【０１０３】
図９（ａ）に示すように、生体情報測定装置１が電力を受電し二次電池３３０を充電している状態において、表示部２６０は、充電中であることを報知する。詳しくは、制御部２００は、二次電池３３０を充電すると共に、報知制御部２３０を制御して、例えば「充電中」の文字を充電中表示２７５に報知する。これにより、ユーザーは生体情報測定装置１が他の生体情報測定装置から受電し二次電池３３０を充電中であることを容易に認知することができる。なお、充電中表示２７５に示されている「充電中」の文字表示は一例であり、記号や絵文字で表示させてもよい。
【０１０４】
図９（ｂ）に示すように、生体情報測定装置１が他の生体情報測定装置に給電している状態において、表示部２６０は、給電中であることを報知する。詳しくは、制御部２００は、充電ポート３１０に電流を供給すると共に、報知制御部２３０を制御して、例えば「給電中」の文字を給電中表示２７６に報知する。これにより、ユーザーは生体情報測定装置１が他の生体情報測定装置に給電中であることを容易に認知することができる。なお、給電中表示２７６に示されている「給電中」の文字表示は一例であり、記号や絵文字で表示させてもよい。
【０１０５】
なお、本実施形態のウェアラブル機器としての生体情報測定装置１は他の生体情報測定装置と接続する充電ポート３１０と、専用の充電器と接続する充電ポート３２０と、を備えているものと説明したが、共用の充電ポートを備えた生体情報測定装置であってもよい。
また、生体情報測定装置１は、携帯端末４２０を介してデータベース４５０と接続させるものと説明したが、生体情報測定装置１とデータベース４５０とを有線または無線通信で直接接続させてもよい。
また、生体情報測定装置の充電方法において、生体情報測定装置１は電磁誘導を利用して充電を行うものと説明したが、生体情報測定装置１と他の生体情報測定装置とを専用の充電ケーブルで接続させてもよい。
また、本実施形態の生体情報測定装置１は、電磁誘導を利用した無接点充電を行うものとして説明したが、電磁界の共鳴現象を利用した電磁界共鳴方式や、電力を電磁波に変換しアンテナを介して送受信する電波方式であってもよい。
【０１０６】
また、生体情報測定装置１の入力手段としてタッチパネルを例示したが、これに限定するものではない。生体情報測定装置１にボタンやリュウズを設けて、これらを入力手段に用いてもよい。
また、生体情報測定装置１への入力は、本体の入力手段で操作するのではなく、携帯端末やデータベース４５０としてのパーソナルコンピューターなどで行い、これらの機器と生体情報測定装置１とを無線または有線通信で接続し、通信部２５０を入力手段として入力させてもよい。
また、表示部２６０に報知させる脈拍表示２７１、電池マーク２７２、充電量表示２７３、充電中表示２７５、給電中表示２７６の表示形式や表示場所は一例であり、これに限定するものではない。
【０１０７】
以上述べたように、本実施形態に係る生体情報測定装置１および生体情報測定システム５００によれば、以下の効果を得ることができる。
ウェアラブル機器としての生体情報測定装置１は、電磁誘導を利用して非接触で電力の受け渡しが可能な充電ポート３１０，３２０を備えているので、生体情報測定装置１を使用しての移動中や測定中であっても二次電池３３０の電力を受電または送電することができる。受電側機器（生体情報測定装置１）は、通常、電力の供給源となるコンセントの無い屋外においても、所定の範囲内になる給電側機器から容易に充電して生体情報測定装置１の動作可能時間を長時間化することができる。したがって、容易に二次電池３３０を充電することが可能な生体情報測定装置１および生体情報測定システム５００を提供することができる。
【０１０８】
また、受電側機器としての生体情報測定装置１は、給電側機器をサーチする機能を備えており、事前登録され、充電量が所定の値より多く、所定の使用時間よりも短く、給電拒否に設定されていない給電側機器を容易に見つけることができる。
また、生体情報測定装置１は、受電側機器および給電側機器のいずれか一方の充電量が所定の閾値に達することで、二次電池３３０の充電を停止するので、給電側機器の動作可能時間が著しく短くなることを防ぐことができる。
また、給電側機器としての生体情報測定装置１は、ユーザーの都合やユーザーの健康状態に応じて、電力を給電することを拒否するロック機能を備えているので、生体情報測定装置１の動作可能時間が短くなり、継続的な生体情報の記録が途絶えることを防ぐことができる。
また、生体情報測定装置１は、表示部２６０に二次電池が充電されていることを報知する充電中表示２７５を備えているので、ユーザーは生体情報測定装置１が他の生体情報測定装置から電力を受電し二次電池を充電中であることを容易に認知することができる。
また、生体情報測定装置１は、表示部２６０に二次電池の充電量を報知する電池マーク２７２および充電量表示２７３を備えているので、ユーザーは受電による充電量の変動、または給電による充電量（充電残量）の変動を容易に認識することができる。
【０１０９】
生体情報測定装置１（受電側機器）の充電方法は、電力を受電可能な他の生体情報測定装置（給電側機器）をサーチするステップと、充電ポートを介して受電し二次電池３３０を充電するステップと、受電側機器および給電側機器のいずれか一方の二次電池の充電量が所定の閾値に達することで充電を停止するステップと、を含んでいる。これにより、給電側機器からは必要な充電量を残した余剰電力だけが給電され、受電側の生体情報測定装置１は必要な充電量まで、または給電側の余剰電力だけが給電（充電）される。したがって、容易に二次電池３３０を充電して動作可能時間を延ばすこと、および給電側の生体情報測定装置の動作可能時間が短くなり継続的な生体情報の記録が途絶えることを防ぐこと、が可能な生体情報測定装置１の充電方法を提供することができる。
【０１１０】
（実施形態２）
次に、本発明の実施形態２について図面を用いて説明する。
実施形態２に係る生体情報測定装置（以下では、測定装置という）は、前述の実施形態１と同様に、生体情報を測定される生体（例えば人体）に装着され、脈拍（心拍数）等の生体情報を測定する心拍数監視装置である。なお、以下に示す各図においては、各構成要素を図面上で認識され得る程度の大きさとするため、各構成要素の寸法や比率を実際の構成要素とは適宜に異ならせて記載する場合がある。
【０１１１】
まず、実施形態２に係る生体情報測定装置としての心拍数監視装置１０１０について説明する前に、図１０を用いて実施形態２に係る生体情報測定装置としての心拍数監視装置の従来例について説明する。
【０１１２】
図１０は、心拍数監視装置を装着しているユーザー（被検体）１０００（同図では、ユーザーの腕を示す）の、生理的パラメーター（生体情報）を測定する従来例の生体情報測定装置としての心拍数監視装置１０１０を示す断面図である。心拍数監視装置１０１０は、ユーザー１０００の少なくとも一つの生理的パラメーターとしての心拍数を計測するセンサー１０１２と、センサー１０１２を収納しているケース１０１４を備えている。心拍数監視装置１０１０は、固定部１０１６（例えばバンド）によって、ユーザー１０００の腕１００１に装着される。
【０１１３】
このセンサー１０１２は、二つのセンサーエレメントである発光部としての発光素子１１２１および受光部としての受光素子１１２２を備え、心拍数を測定するかまたはモニターするための心拍数監視センサーである。しかし、一つ以上の生理的パラメーター（例えば心拍数、血圧、呼気量、皮膚伝導率、皮膚湿度など）を測定するセンサーであってもよい。また、ケース１０１４が、バンドタイプのハウジングを備えている場合は、例えばスポーツにおいて使われる腕時計型の監視装置として用いることができる。なお、ケース１０１４の形は、主にユーザー１０００に関して所望の位置でセンサー１０１２を保持することができればよく、任意に電池、処理ユニット、表示、ユーザー・インターフェイスなどのような更なる要素を収納することができてもよい。
【０１１４】
従来例の生体情報測定装置は、ユーザーの心拍数をモニターするための心拍数監視装置１０１０である。そして、センサー１０１２は発光素子１１２１および受光素子１１２２から成る光学センサーである。光学センサーを用いた光学的心拍数モニターは、皮膚に光をあてる光源としての発光素子１１２１（通常ＬＥＤが用いられる）に依存する。発光素子１１２１から皮膚に照射された光は、皮膚下の血管を流れる血液によって一部が吸収されるが、残りの光は反射され皮膚を出る。そして、反射された光は、受光素子１１２２（通常フォトダイオードが用いられる）によって、捕捉される。受光素子１１２２からの受光信号は、血管を流れる血液量に相当する情報を含む信号である。血管を流れる血液量は、心臓の脈動によって変化する。そして、このように、受光素子１１２２上の信号は心臓の拍動に対応して変化する。つまり、受光素子１１２２の信号の変化は、心拍数のパルスに相当するものである。そして、単位時間当たりのパルス数を計数することによって（例えば１０秒当たり）、心臓が１分間に打つ数（すなわち心拍数）が得られる。
【０１１５】
以下、図１１を用いて実施形態２に係る生体情報測定装置としての心拍数監視装置１０２０について説明する。図１１は、実施形態２に係る生体情報測定装置としての心拍数監視装置を示す斜視図である。実施形態２に係る生体情報測定装置としての心拍数監視装置１０２０は、図１１では図示していないが、前述の実施形態１と同様に、バンドなどの固定部によって、ユーザーの腕に装着される。
【０１１６】
実施形態２に係る生体情報測定装置としての心拍数監視装置１０２０は、複数の発光部を備えている。詳しくは、心拍数監視装置１０２０は、複数（本例では二つ）の発光部としての発光素子１２２１，１２２３と、一つの受光部としての受光素子１２２２とが、一列に並び配置されている。具体的には、少なくとも二つのセンサーエレメントを備えたセンサー１０２２（本例では、三つのセンサーエレメントとして、第１の発光部および第２の発光部としての二つの発光素子１２２１，１２２３と、受光部としての受光素子１２２２とを用いている）を有している。
【０１１７】
そして、第１の発光部および第２の発光部としての二つの発光素子１２２１，１２２３の間に受光部としての受光素子１２２２が配置されている。また、第１の発光部および第２の発光部としての二つの発光素子１２２１，１２２３は、受光部としての受光素子１２２２の中心を通る仮想線に対して線対称の位置に配置されている。発光素子１２２１，１２２３および受光素子１２２２を、このような配置とすることにより、デッドスペースが減少し、省スペース化を図ることができる。また、線対称位置にある第１の発光部、および第２の発光部を併せた光が受光部に集まり、より正確な検出を行うことができる。
【０１１８】
センサーエレメントは、センサー信号を検出する。センサー１０２２は、ユーザーの皮膚に対して発光するための二つのＬＥＤを用いた発光素子１２２１，１２２３から成る光学センサーと、皮膚から反射した光を受信するための少なくとも一つの受光素子１２２２（フォトダイオード）とを備えている。さらに、心拍数監視装置１０２０は、ケースまたはハウジング（図示せず）を有している。ケースまたはハウジングは、図１０に示されるケース１０１４と類似、あるいは同一でもよいし、上述の実施形態１におけるケース部３０と類似、あるいは同一でもよい。
【０１１９】
そして、センサー１０２２は、キャリア（基板）１０２６の一面に担持されている。ここで、キャリア（基板）１０２６と、キャリア（基板）１０２６上に担持されたセンサー１０２２とを含む構成が生体情報測定モジュールに該当する。なお、以下の実施形態３〜６においても同様である。発光素子１２２１，１２２３から射出された光は、皮膚などに吸収されずに反射され、受光素子１２２２に直接到達することができる。心拍数監視装置１０２０において、キャリア１０２６と発光素子１２２１，１２２３の上面１２２１ａ，１２２３ａとの間の距離は、キャリア１０２６と受光素子１２２２の上面１２２２ａとの間の距離より小さい。すなわち、キャリア１０２６と発光素子１２２１，１２２３の上面１２２１ａ，１２２３ａとの間の距離と、キャリア１０２６と受光素子１２２２の上面１２２２ａとの間の距離との差が、Δｈである。そして、受光素子１２２２は、一番上の表層であるその上面１２２２ａから光を受信する。それらの構成によれば、発光素子１２２１，１２２３から射出された光の大部分は皮膚に向かい、反射光は、空気層などの介入なしに直接受光素子１２２２に入射される効果がある。換言すれば、受光素子１２２２が皮膚に密着する構造であるため、受光素子１２２２の上面（受光面）１２２２ａと皮膚との間に隙間が生じにくい構造とすることができ、これにより外光などのノイズ源となる光が上面１２２２ａに入射することを抑制することができる。また、皮膚を通過しない発光素子１２２１，１２２３からの光、例えば発光素子１２２１，１２２３から直接受光素子１２２２に入射する光は、受光素子１２２２の上面１２２２ａに到達することができない。
【０１２０】
（実施形態３）
次に、図１２を参照して実施形態３に係る生体情報測定装置としての心拍数監視装置１０３０について説明する。図１２は、実施形態３に係る生体情報測定装置としての心拍数監視装置を示す側面図である。なお、実施形態３に係る生体情報測定装置としての心拍数監視装置１０３０は、図１２では図示していないが、前述の実施形態１と同様に、バンドなどの固定部によって、ユーザーの腕に装着される。
【０１２１】
図１２に示すように、発光部としての発光素子１２２１，１２２３および受光部としての受光素子１２２２の電気的接続端子１０３４は、電気的要素の保護のために絶縁性材料（例えばエポキシ樹脂）１０３２で、好ましくは覆われていなければならない。また、絶縁性材料１０３２が発光素子１２２１，１２２３や受光素子１２２２を覆わないように構成することができる。具体的には、発光素子１２２１と受光素子１２２２との間の領域、発光素子１２２３と受光素子１２２２との間の領域を絶縁性材料１０３２で埋めるように構成することができる。換言すれば、少なくとも受光素子１２２２の上面１２２２ａ、発光素子１２２１，１２２３の上面１２２１ａ，１２２３ａが絶縁性材料１０３２に覆われないように構成することができる。このように構成することで、皮膚と発光素子１２２１，１２２３との間のエアギャップによる妨害を抑制することができる。さらに、絶縁性材料１０３２が発光素子１２２１，１２２３の上面１２２１ａ，１２２３ａや受光素子１２２２の上面１２２２ａを覆うように構成しても良い。このように構成することで、皮膚と接触する受光素子１２２２の上面１２２２ａや、発光素子１２２１，１２２３の上面１２２１ａ，１２２３ａを保護することができるので、受光素子１２２２の上面１２２２ａや、発光素子１２２１，１２２３の上面１２２１ａ，１２２３ａの損傷を防ぐことができる。この場合、絶縁性材料１０３２は保護膜とみなすこともできる。
【０１２２】
本実施形態３に係る生体情報測定装置としての心拍数監視装置１０３０では、一般に可能性がある実施例として、エポキシ樹脂を用いた絶縁性材料１０３２を設けている。図１２においては、絶縁性材料１０３２は、発光素子１２２１，１２２３の上面１２２１ａ，１２２３ａを覆うことなく配置され、電気的接続端子１０３４を保護する。発光素子１２２１，１２２３から射出されている光は、矢印にて表される。
【０１２３】
このように、絶縁性材料１０３２の配置は、心拍数監視装置１０３０の正しい機能を妨げない程度の最小限で行うことにより、発光素子１２２１，１２２３および受光素子１２２２の電気的接続端子１０３４を保護することで、この心拍数監視装置１０３０は更に改良されることができる。なお、本実施形態３におけるエポキシ樹脂を注入する構成に変えて、図１３に示すような実施形態４に係る生体情報測定装置としての心拍数監視装置１０４０とすることがさらに好適である。
【０１２４】
（実施形態４）
次に、実施形態４に係る生体情報測定装置としての心拍数監視装置１０４０について、図１３を参照して説明する。図１３は、実施形態４に係る生体情報測定装置としての心拍数監視装置を示す斜視図である。なお、実施形態４に係る生体情報測定装置としての心拍数監視装置１０４０は、図１３では図示していないが、前述の実施形態１と同様に、バンドなどの固定部によって、ユーザーの腕に装着される。
【０１２５】
実施形態４に係る生体情報測定装置としての心拍数監視装置１０４０は、作成されたフレーム１０４１，１０４２，１０４３が配置される。フレーム１０４１，１０４２，１０４３は、発光部としての発光素子１２２１，１２２３および受光部としての受光素子１２２２の周囲に配置され、フレーム１０４１，１０４２，１０４３と、発光素子１２２１，１２２３および受光素子１２２２との間の隙間１０３６が形成される。そして、フレーム１０４１，１０４２，１０４３をガイドとして絶縁性材料（図１３では図示されない）が注入され、発光素子１２２１，１２２３および受光素子１２２２の電気的接続端子１０３４を覆う。
【０１２６】
実施形態４に示す例では、発光素子１２２１，１２２３および受光素子１２２２は、個々のフレーム１０４１，１０４２，１０４３によって囲まれる。なお、他の例としては、すべてのフレーム１０４１，１０４２，１０４３は、互いに結合されてもよく、または、すべてのセンサーエレメントは一体のフレームによって囲まれてもよい。なお、フレーム１０４１，１０４２，１０４３を遮光部の一例としての遮光壁として用いることができる。フレーム１０４１，１０４２，１０４３を遮光壁として用いることにより、発光素子１２２１，１２２３から射出された光が、直接受光素子１２２２に入ることを防止することができる。
【０１２７】
心拍数監視装置１０４０の機能に影響を及ぼさないための改善点として、発光素子１２２１，１２２３のまわりのフレーム１０４１，１０４３の上部エッジ１０４１ａ，１０４３ａは、好ましくは発光素子１２２１，１２２３の上面１２２１ａ，１２２３ａより低いことが好ましい。換言すれば、個別のフレーム１０４１，１０４３の上部エッジ１０４１ａ，１０４３ａとキャリア１０２６との距離ｈＦＲ−ＬＥＤは、個別のフレーム１０４１，１０４３で囲まれている発光素子１２２１，１２２３の上面１２２１ａ，１２２３ａとキャリア１０２６との距離ｈＬＥＤと、同じか小さい（ｈＦＲ−ＬＥＤ≦ｈＬＥＤ）。
好ましくは、発光素子１２２１，１２２３の上面１２２１ａ，１２２３ａとキャリア１０２６との距離ｈＬＥＤと、フレーム１０４１，１０４３の上部エッジ１０４１ａ，１０４３ａとキャリア１０２６との距離ｈＦＲ−ＬＥＤとの差は、０．１ｍｍから０．８ｍｍの範囲に設定する。なお、さらに好ましくは、発光素子１２２１，１２２３の上面１２２１ａ，１２２３ａとキャリア１０２６との距離ｈＬＥＤと、フレーム１０４１，１０４３の上部エッジ１０４１ａ，１０４３ａとキャリア１０２６との距離ｈＦＲ−ＬＥＤとの差は、０．２ｍｍから０．５ｍｍの範囲に設定する。
【０１２８】
また、受光素子１２２２のまわりのフレーム（レシーバーフレーム）１０４２の上部エッジ１０４２ａは、好ましくは受光素子１２２２の上面１２２２ａより高いことが好ましい。換言すれば、フレーム１０４２の上部エッジ１０４２ａとキャリア１０２６との距離ｈＦＲ−ＰＤは、フレーム１０４２で囲まれている受光素子１２２２の上面１２２２ａとキャリア１０２６との距離ｈＰＤより大きい（ｈＦＲ−ＰＤ＞ｈＰＤ）。
好ましくは、受光素子１２２２の上面１２２２ａとキャリア１０２６との距離ｈＰＤと、フレーム１０４２の上部エッジ１０４２ａとキャリア１０２６との距離ｈＦＲ−ＰＤの差は、０ｍｍから０．５ｍｍの範囲に設定する。なお、さらに好ましくは、受光素子１２２２の上面１２２２ａとキャリア１０２６との距離ｈＰＤと、フレーム１０４２の上部エッジ１０４２ａとキャリア１０２６との距離ｈＦＲ−ＰＤの差は、０．１ｍｍから０．２ｍｍの範囲に設定する。
さらに、フレーム１０４２の上部エッジ１０４２ａとキャリア１０２６との距離ｈＦＲ−ＰＤは、発光素子１２２１，１２２３の上面１２２１ａ，１２２３ａとキャリア１０２６との距離ｈＬＥＤよりも大きい（ｈＦＲ−ＰＤ＞ｈＬＥＤ）。
【０１２９】
なお、例えば、受光素子１２２２および発光素子１２２１，１２２３が間近である場合、受光素子１２２２と発光素子１２２１，１２２３との間に、１枚のフレーム壁だけが存在する構成であってもよい。これは、製造容易性の理由で発生する場合がある。その１枚のフレーム壁がケースである場合、受光素子１２２２および発光素子１２２１，１２２３で両方のフレームのフレーム壁は一致する。これは、発光素子１２２１，１２２３のフレーム壁がより高くなることを意味する、詳述すると、発光素子１２２１，１２２３を囲むフレーム１０４１，１０４３の内の、受光素子１２２２がある側のフレーム壁が高くなり、他のフレーム壁は発光素子１２２１，１２２３の上面１２２１ａ，１２２３ａより低くなる。
さらに、フレーム１０４１，１０４２，１０４３に代えて、受光素子１２２２と発光素子１２２１、あるいは発光素子１２２３との間に第１の壁部を設け、発光素子１２２１，１２２３の外側、つまり受光素子１２２２に対して第１の壁部とは反対側に第２の壁部を設けるように構成しても良い。
このように構成した場合、キャリア１０２６と第１の壁部の上面との距離は、キャリア１０２６と第２の壁部の上面との距離よりも大きくなるように構成しても良い。このように構成することで、図１３のように発光素子や受光素子を囲うように構成した場合に比べ、より少ない部材でフレームの機能を実現することができる。
【０１３０】
なお、本実施形態４のようにフレーム１０４１，１０４３やフレーム１０４２を用いることにより、注入されるエポキシ樹脂などの絶縁性材料が流れ出すことを防ぐことができる。またこのように、追加構造を作成してエポキシ樹脂などの絶縁性材料を区切ることは、高い量産性を可能にするオプションである。なお、フレーム１０４１，１０４３やフレーム１０４２は、キャリア１０２６と同じ材料によって構成されても良い。例えばエポキシ系樹脂やポリカーボネイト系樹脂を用いて射出成型でフレームが形成されても良い。
【０１３１】
前述したように、絶縁性材料１０３２（図１２参照）は、センサーエレメント（発光素子１２２１，１２２３および受光素子１２２２）の電気的接続端子１０３４を保護する。しかしながら、これらの電気的接続端子１０３４は他の要素である追加電子機器（例えばドライバー、検出エレクトロニクス、プロセッサーまたは電源）と、さらに接触しなければならない。そして、キャリア１０２６（プリント基板（ＰＣＢ）でもよい）に、これらの追加電子機器とのなんらかの電気接続があることを意味する。また、本実施形態に係る心拍数監視装置の構造は、心拍数のみならず、脈波、脈拍の測定装置にも適用できる。
【０１３２】
（実施形態５）
図１４を参照して、実施形態５に係る生体情報測定装置としての心拍数監視装置１０５０を説明する。図１４は、実施形態５に係る生体情報測定装置としての心拍数監視装置を示す断面図である。なお、実施形態５に係る生体情報測定装置としての心拍数監視装置１０５０は、図１４では図示していないが、前述の実施形態１と同様に、バンドなどの固定部によって、ユーザーの腕に装着される。
【０１３３】
実施形態５に係る生体情報測定装置としての心拍数監視装置１０５０は、前述した追加電子機器（例えばプロセッサー１０５２およびドライバー１０５４）を備えている。外部電気接続端子（図示せず）は、センサーエレメント（発光部としての発光素子１２２１および受光部としての受光素子１２２２）と同じキャリア１０２６に配置されない。つまり、追加電子機器は、センサーエレメントとは別のキャリアあるいは基板に配置されている。このように構成することで、皮膚とセンサーエレメント（発光素子１２２１および受光素子１２２２）との良好な接触を維持しつつ、必要な追加電子機器を心拍数監視装置１０５０に搭載することができる。例えば、外部電気接続端子は、キャリア１０２６の側面に配置されることができる。
【０１３４】
上述したように、異なる種類のセンサーが、本発明に係る生体情報測定装置において用いられることが可能である。例えば、上述の受光素子１２２２が電気センサーである場合は、ユーザーの皮膚に接触して、ユーザーの伝導率を測定するための２本の皮膚コンダクタンス電極（例えば、センサーエレメント（図１４に示される発光素子１２２１、受光素子１２２２））は、皮膚でおおわれる。なお、さらなる、二つ以上の種類のセンサーが、この種の生体情報測定装置において、用いられることが可能であり、さらに、センサーエレメントの数は問わない。
【０１３５】
実施形態２〜５において、提唱される生理的パラメーターを測定する生体情報測定装置を製造する方法のフローチャートは、図１５において示される。
第１ステップＳ１において、センサー信号を検出するための少なくとも二つのセンサーエレメント（発光素子１２２１および受光素子１２２２）から成るセンサー１０２２は、キャリア１０２６上に配置される。第２ステップＳ２において、上記センサーエレメントの電気的接触をキャリア１０２６に形成する。第３ステップＳ３において、一つ以上のフレーム１０４１，１０４２は、センサー１０２２および／または個々のセンサーエレメント（発光素子１２２１および受光素子１２２２）周辺で、キャリア１０２６の上に形成される。第４ステップＳ４において、キャリア１０２６に備えられているセンサーエレメント（発光素子１２２１および受光素子１２２２）の上面１２２１ａ，１２２２ａを覆わない、それぞれのフレーム１０４１，１０４２によって囲まれる領域に絶縁性材料１０３２が注入され満たされる。
【０１３６】
上記実施形態２〜５によれば、生体情報測定装置の性能に負の影響を及ぼすことのない電気的接触の保護を成し遂げる方法が提案される。そして、センサーの性能を保つような方法で形成される。例えば、これらのフレーム１０４１，１０４３の少なくとも一つは、皮膚に対するセンサーの位置がシフトすることを防ぐ。さらに、これらのフレーム１０４１，１０４３の少なくとも一つは、射出された直射的な光が受光素子１２２２に入力するのを防止するのに役立つことができる。好ましくは、受光素子１２２２の向きになっている側の、発光素子１２２１，１２２３のまわりのフレーム１０４１，１０４３の高さは、発光素子１２２１，１２２３の上面１２２１ａ，１２２３ａの高さより小さくなければならない。加えて、受光素子１２２２のまわりのフレーム１０４２は、受光素子１２２２の上面１２２２ａより高くてもよい。
【０１３７】
上述した実施形態２〜５に係る生体情報測定装置においても、非接触で電力の受け渡しが可能な充電ポートを備えることで、容易に二次電池３３０を充電することができる。
【０１３８】
（実施形態６）
上述した実施形態１〜５の生体情報測定装置は、ひずみ計、温度計、体温計、加速度センサー、ジャイロセンサー、圧電センサー、気圧センサー、血圧計、電気化学的センサー、ＧＰＳ（Ｇｌｏｂａｌ  Ｐｏｓｉｔｉｏｎｉｎｇ  Ｓｙｓｔｅｍ）、振動計、等の各種センサーを備えていてもよい。これらのセンサーを備えることで、心拍、脈拍、拍動間の変異、ＥＫＧ（ＥｌｅｋｔｒｏＫａｒｄｉｏｇｒａｍ：心電図）、ＥＣＧ（Ｅｌｅｃｔｒｏｃａｒｄｉｏｇｒａｍ：心電図）、呼吸数、皮膚温度、体温、体の熱流、電気皮膚反応、ＧＳＲ（Ｇａｌｖａｎｉｃ  ｓｋｉｎ  ｒｅｆｌｅｘ：皮膚電気反射）、ＥＭＧ（Ｅｌｅｃｔｒｏｍｙｏｇｒａｍ：筋電図）、ＥＥＧ（ｅｌｅｃｔｒｏｅｎｃｅｐｈａｌｏｇｒａｍ：脳電図）、ＥＯＧ（Ｅｌｅｃｔｒｏｏｃｕｌｏｇｒａｐｈｙ：眼球電図）、血圧、体脂肪、水分補給レベル、活動レベル、体動、酸素消費量、グルコース、血糖値、筋肉量、筋肉にかかる圧力、骨にかかる圧力、紫外線吸収、睡眠状態、体調、ストレス状態、体位（例えば、横臥、直立、座位、等）等の、１または１以上の生理学的パラメーターを示すデータに基づいて、個人の生理学的状態に関する情報を導出することができる。また、これらの各種センサーによって得られた値を、例えば、スマートフォン、携帯電話機、フィーチャーフォン等の携帯型通信端末やコンピューターやタブレット型コンピューター等の情報処理端末に送信して、携帯型通信端末や情報処理端末にて生理学的パラメーターの演算処理を実行してもよい。
【０１３９】
ユーザーは、生体情報を測定する前に、生体情報測定装置、携帯型通信端末、もしくは情報処理端末にユーザー自身のプロフィールを入力する。これによりユーザーは、そのプロフィールと生体情報測定結果とに基づき、推奨される健康なライフスタイルを確立し維持する可能性を最大にするために、対処が必要となるユーザーの特異な特性情報、環境情報の提供を受けることができる。提供される情報としては、運動種別、運動強度、運動時間、等のような運動情報、食事時間、食事の量、推奨される摂取食材や摂取メニュー、避けるべき摂取食材や摂取メニュー、等のような食事情報、睡眠時間、睡眠の深さ、睡眠の質、起床時間、着床時間、就労時間、ストレス情報、消費カロリー、摂取カロリー、カロリー収支、等のような生活支援情報、基礎代謝、体脂肪量、体脂肪率、筋肉量、等のような身体情報、投薬情報、サプリメント摂取情報、医療情報、等の一つもしくは複数が挙げられる。
【０１４０】
事前に入力するユーザー自身のプロフィールとしては、例えば、年齢、生年月日、性別、趣味、職種、血液型、過去のスポーツ歴、活動レベル、食事、睡眠の規則性、排便習慣の規則性、状況適応性、持続性、応答性、反応の強さ、性質等のユーザーの性格、ユーザーの自主独立レベル、自立形成、自己管理、社交性、記憶力および学問的成就能力、ユーザーの覚醒レベル、認知速度、注意力疎外要因の回避能力、覚醒状態および自己監督能力を含むユーザーの注意力、注意持続能力、体重、身長、血圧、ユーザーの健康状態、医者による診察結果、医者による診察日、医者や健康管理者との接触の有無、現在服用中の薬剤およびサプリメント、アレルギーの有無、アレルギー歴、現在のアレルギー症状、健康に関連する挙動の所見、ユーザーの病気歴、ユーザーの手術歴、家族歴、個人による調整を必要とした離婚または失業のような社会的事象、ユーザーの健康優先度に関する所信、価値観、振舞いを変える能力、生活のストレス原因と考えられる事象、ストレス管理方法、ユーザーの自己意識度、ユーザーの感情移入度、ユーザーの権限委譲度、ユーザーの自尊心、ユーザーの運動、睡眠状態、弛緩状態、毎日の活動の現在のルーチン、ユーザーの生活における重要な人物（例えば、配偶者、友人、同僚または上司）の性格、重要な人物の関係において健康なライフスタイルを阻害するまたはストレスに寄与する衝突が存在するか否かについてのユーザーの受け止め方、等の一つもしくは複数が挙げられる。
【０１４１】
ここで、推奨される健康的なライフスタイルを確立し維持する可能性を最大にするために、対処が必要となるユーザーの特異な特性情報、環境情報の提供を受けることができる実施形態６に係る生体情報測定装置について、図１６〜図２２を用いて説明する。図１６は、実施形態６の生体情報測定装置におけるヘルスマネージャーの起点となるウェブページの概略を示す図である。図１７は、栄養ウェブページの一例を示す図であり、図１８は、活動レベルウェブページの一例を示す図である。また、図１９は、精神集中ウェブページの一例を示す図であり、図２０は、睡眠ウェブページの一例を示す図である。また、図２１は、毎日の活動ウェブページの一例を示す図であり、図２２は、元気度ウェブページの一例を示す図である。
【０１４２】
実施形態６に係る生体情報測定装置は、図示しないが、例えばマイクロプロセッサーに接続されたセンサー装置を備えている。そして、実施形態６に係る生体情報測定装置では、最終的にモニターユニットへ送られて保存される種々の生活活動に関するデータや、モニターユニットにより維持されるウェブサイトからユーザーによって入力される個人データもしくは生活情報が、マイクロプロセッサーによって処理され、生体情報として提供される。以下に、具体的な一例を示し説明する。
【０１４３】
ユーザーは、ウェブページ、アプリケーションソフト、その他の通信媒体を介して、そのユーザーのためのヘルスマネージャーにアクセスする。図１６は、一例として、ヘルスマネージャーの起点となるウェブページ５５０を示す。図１６に示すヘルスマネージャーのウェブページ５５０では、多様なデータをユーザーへ提供する。このようにして提供されるデータは、例えば、（１）種々のセンサー装置が測定した値に基づく種々の生理学的パラメーターを示すデータ、（２）種々の生理学的パラメーターを示すデータから導出されるデータ、（３）センサー装置により発生される種々のコンテキストパラメーターを示すデータおよびユーザーが入力するデータのうちの、１つまたはそれ以上である。
【０１４４】
分析状態データは、（１）センサー装置が取得する種々の生理学的パラメーターを示すデータ、（２）種々の生理学的パラメーターから導出されるデータ、（３）センサー装置が取得する種々のコンテキストパラメーターを示すデータおよびユーザーが入力するデータのうちの１つまたはそれ以上を計算により求める健康度、（４）壮健度およびライフスタイル指数などに変換するために、ある特定のユーティリティーまたはアルゴリズムを利用する点に特徴がある。例えば、摂取した食料に関連してユーザーが入力するデータに基づきカロリー、たんぱく質、脂肪、炭水化物およびある特定のビタミンの量のようなものを計算することができる。また、別の例として、皮膚温度、心拍数、呼吸数、熱流および／またはＧＳＲを用いることにより、所望の時間にわたるストレスレベルの指数をユーザーに提供することができる。さらに別の例として、皮膚温度、熱流、拍動間変異、心拍数、脈拍数、呼吸数、中心部体温、電気皮膚反応、ＥＭＧ、ＥＥＧ、ＥＯＧ、血圧、酸素消費量、周囲の音および加速度計のような装置で検出される体の動きを用いることにより、所望の時間にわたる睡眠パターンの指数をユーザーに提供することができる。
【０１４５】
図１６に示すウェブページ５５０には、健康度としての健康指標５５５が表示されている。この健康指標５５５は、ユーザーの成績および推奨される健康な日課を達成した度合いを測定し、それらをメンバーユーザーにフィードバックするためのグラフィックなユーティリティーである。このように、健康指標５５５は、メンバーユーザーに対して彼らの健康状態や健康維持に関する行動の進捗状況を示す。健康指標５５５は、ユーザーの健康およびライフスタイルに関する６つのカテゴリー、即ち、栄養、活動レベル、精神集中、睡眠、毎日の活動、および元気度（総合的な所感）を含む。「栄養」のカテゴリーは、その人（ユーザー）が何を、いつ、そしてどのくらい食べて飲んだかの情報に関する。「活動レベル」のカテゴリーは、その人がどのくらい動き回るかの運動量に関する。「精神集中」のカテゴリーは、その人（ユーザー）の精神が高度に集中した状態で弛緩状態となるための活動の質（能力）、およびその人がその活動に集中する時間に関する。「睡眠」のカテゴリーは、その人（ユーザー）の睡眠の質、および量に関する。「毎日の活動」のカテゴリーは、その人（ユーザー）が毎日行わなければならないこと、およびその人が遭遇する健康リスクに関する。「元気度（所感）」のカテゴリーは、ある特定の日について気分がよいか否かの一般的な受け止め方に関する。各カテゴリーには、好ましくは、「悪い」から「よい」の間で変化するスケールで、ユーザーがそのカテゴリーに関してどのような実績をあげたかを示すレベル表示または棒グラフを備えている。
【０１４６】
各メンバーユーザーが上述した最初の調査を終了すると、ユーザーに対して、自身の特性、および生活環境の要約を提供するプロフィールが作成され、推奨される健康的な日課および／または目標が提示される。推奨される健康的な日課には、適当な栄養、運動、精神集中、およびユーザーの毎日の活動（生活）に関する特定のアドバイス、における任意の組み合わせが含まれる。これら推奨される健康的な日課に係る活動をユーザーの生活に如何に取り込むかのガイドとして、模範的なスケジュールなどを提示してもよい。ユーザーはその調査を定期的に受け、その結果に基づき、上述したような項目をそれに応じて実践する。
【０１４７】
「栄養」のカテゴリーは、ユーザーが入力するデータと、センサー装置が感知するデータとの両方から計算される。ユーザーが入力するデータには、朝食、昼食、夕食、および任意のおやつの時刻や飲食時間と、飲食する食料、ビタミンのようなサプリメントおよび予め選択した時間の間に飲む水や他の液体（飲料水や液体状の食料）とが含まれる。このデータや種々の食料の公知の特性に関する蓄積されたデータに基づき、中央モニターユニットは、消費カロリー、またはたんぱく質、脂肪、炭水化物、ビタミンなどの含有量のような、よく知られた栄養学的な値を計算する。
【０１４８】
「栄養」のカテゴリーにおいては、健康指標５５５の栄養を示す棒グラフに基づいて、推奨される健康的な日課に関して決定することができる。この推奨される健康的な日課は、ユーザーの性別、年齢、身長／体重のような情報に基づき調整することができる。なお、毎日摂取するカロリーやたんぱく質、繊維、脂肪、炭水化物などの栄養素や水の量、および全体の摂取量に対する割合に関するある特定の栄養の目標を、ユーザー、またはユーザーに代わって代理者が設定することができる。棒グラフの計算に用いるパラメーターには、１日の食事回数、水の消費量、毎日食べる食物の種類、および量をユーザーが入力したものが含まれる。
【０１４９】
栄養学的情報は、図１７に示すような栄養ウェブページ５６０によりユーザーに提示される。栄養ウェブページ５６０は、栄養の実際および目標となる数値をそれぞれ円グラフで示す栄養数値チャート５６５，５７０と、実際の栄養摂取総量および目標となる栄養摂取総量をそれぞれ示す栄養摂取チャート５７５，５８０を含むことが好ましい。栄養数値チャート５６５，５７０は、炭水化物、たんぱく質および脂肪のような項目を百分比で示すのが好ましく、栄養摂取チャート５７５，５８０は、カロリーの合計値および目標値を、脂肪、炭水化物、たんぱく質およびビタミンのような成分で分けて示すのが好ましい。栄養ウェブページ５６０は、食物および水を消費した時間を示す履歴５８５、ユーザーが栄養に関連するニュース記事、栄養に関する日課を改善するためのアドバイス、およびネットワーク上のどこかの関連の広告を直接チェックできるようにするハイパーリンク５９０、および適用期間などを選択可能なカレンダー５９５も含む。ハイパーリンク５９０で示す項目は、調査により個人について知り得た情報、および健康指標により測定された個人の成績に基づいて選択することができる。
【０１５０】
健康指標５５５の「活動レベル」のカテゴリーは、その日にユーザーが、いつ、どのように活動したか（動いたか）などに関するユーザーのチェックを、支援するように設計されており、ユーザーが入力するデータと、センサー装置が感知するデータとの両方を利用する。ユーザーが入力するデータには、例えば、ユーザーが午前８時から午後５時まで机に向かって仕事をした後、午後６時から午後７時までエアロビクス講習を受けるというようなユーザーの毎日の活動に関する詳細事項が含まれる。センサー装置により感知される関連のデータには、心拍数、加速度計のような装置により感知される運動、熱流、呼吸数、消費カロリー量、ＧＳＲ、および水分補給レベルが含まれ、これらはセンサー装置または中央モニターユニットにより取り出すことができる。消費カロリー量は、ユーザーが入力する運動の種類とユーザーが入力する運動の持続時間との掛け算、感知する運動と運動の時間およびフィルター定数との掛け算、または感知される熱流と時間とフィルター定数との掛け算のような種々の方法で計算することができる。
【０１５１】
「活動レベル」のカテゴリーでは、健康指標５５５の活動レベルを示す棒グラフに基づいて、推奨される健康的な日課に関して決定することができる。この推奨される健康的な日課は、活動において消費される最小目標カロリーなどである。なお、最小目標カロリーは、ユーザーの性別、年齢、身長、体重のような情報に基づき設定可能である。棒グラフの計算に用いるパラメーターには、各種の運動または精力的なライフスタイル活動に費やす時間であって、ユーザーが入力したものおよび／またはセンサー装置が感知したものや予め計算したエネルギー消費パラメーター以上に燃焼したカロリー数が含まれる。
【０１５２】
個人ユーザーの活動（動き）に関する情報は、図１８に示す活動レベルウェブページ６００によりユーザーに提示される。この活動レベルウェブページ６００は、ユーザーの活動を３つのカテゴリー、即ち、所定の単位時間に関して「高」、「中」、「低」でモニターする棒グラフの形をした活動度グラフ６０５を含む。円グラフの形の活動百分比チャート６１０は、ユーザーが各カテゴリーで費やした、例えば１日のような所定の期間の百分比を示すために提示することができる。また、活動レベルウェブページ６００は、燃焼カロリー総量、毎日の燃焼カロリー目標値、カロリー摂取合計値、およびエアロビクス運動時間のような項目を表示するためのカロリー表示（図示せず）を設けることもできる。活動レベルウェブページ６００は、ユーザーが、関連のニュース記事、活動レベルに関する日課を改善するためのアドバイス、およびネットワーク上の関連広告を直接チェックできるようにするため、少なくとも１つのハイパーリンク６２０を含む。
【０１５３】
活動レベルウェブページ６００は種々のフォーマットで見ることができるが、棒グラフ、円グラフ、およびその両方のようなグラフまたはチャートをユーザーが選択可能とすることができ、活動レベルチェックボックス６２５により選択可能である。活動レベルカレンダー６３０は、適用期間などを選択できるようにするために提供される。ハイパーリンク６２０に示す項目は、調査によりその個人から抽出した情報および健康指標により測定される成績に基づき選択することができる。
【０１５４】
健康指標５５５の「精神集中」のカテゴリーは、ユーザーが、精神を集中しながら深い弛緩状態に体が到達できるようにする活動を行う時間に関するパラメーターを、モニターすることを支援するように設計されており、ユーザーが入力するデータとセンサー装置が感知するデータとの両方に基づくものである。詳説すると、ユーザーはヨガまたは瞑想のような弛緩活動の開始時間および終了時間を入力することができる。精神集中の深さにより決まるこれらの活動の品質は、センサー装置により感知される皮膚温度、心拍数、呼吸数および熱流を含むパラメーターをモニターすることにより測定可能である。センサー装置または中央モニターユニットの何れかにより得られるＧＳＲの百分比変化を利用することもできる。
【０１５５】
「精神集中」のカテゴリーにおいては、健康指標５５５の精神集中の活動レベルを示す棒グラフに基づいて、推奨される健康的な日課に関して決定することができる。この推奨される健康的な日課は、精神を高度に集中した状態にしながら体を深く弛緩させる活動への毎日の参加が含まれて表示される。この棒グラフの計算に使用するパラメーターには、精神集中活動に費やす時間の長さ、および精神集中活動の深さ、または品質を示すベースラインからの、センサー装置により感知される皮膚温度、心拍数、呼吸数、熱流またはＧＳＲの百分比変化が含まれる。
【０１５６】
深く自己を顧みる行動（内省）、および体を深く弛緩させるなどの精神集中活動のために費やす時間に関する情報は、図１９に示す精神集中ウェブページ６５０によりユーザーに提示される。なお、精神集中活動は、セッションと呼ばれることがある。精神集中ウェブページ６５０は、セッションに費やした時間６５５、目標時間６６０、精神集中の深さの目標値および実際の値を示す比較部分６６５、皮膚温度、心拍数、呼吸数、熱流および／またはＧＳＲのようなものから導出される全体的なストレスレベルを示すヒストグラム６７０を含む。
【０１５７】
比較部分６６５では、目標となる精神集中状態を示す人間の輪郭は実線で示され、実際の精神集中状態を示す人間の輪郭は、精神集中のレベルに応じてぼやけた状態（図１９では破線で表す）と実線の間で変化する。また、好ましい精神集中ウェブページ６５０は、ユーザーが関連のニュース記事、精神集中に関する日課の改善に関するアドバイス、およびネットワーク上の関連広告を直接チェックできるようにするハイパーリンク６８０、精神集中に関する日課の改善に関するアドバイスおよび関連の広告と、適用期間を選択可能にするカレンダー６８５とを含む。ハイパーリンク６８０で示す項目は、調査により個人から知り得た情報および健康指標により測定される成績に基づき選択することができる。
【０１５８】
健康指標５５５の「睡眠」のカテゴリーは、ユーザーが睡眠パターンおよび睡眠の質をモニターすることを支援できるように設計されている。このカテゴリーは、ユーザーが健康なライフスタイルにおける睡眠の重要性と、体の機能の毎日の通常の変化である日周期に対する睡眠の関係と、についての学習を助けるように意図されている。「睡眠」のカテゴリーは、ユーザーが入力するデータとセンサー装置が感知するデータとの両方に基づくものである。関連の各時間インターバルの間にユーザーが入力するデータには、ユーザーの入眠時刻と起床時刻（睡眠時間）および睡眠の質のランクが含まれる。センサー装置から得られる関連性のあるデータには、皮膚温度（体温）、熱流、拍動間変異、心拍数、脈拍数、呼吸数、中心部体温、電気皮膚反応、ＥＭＧ、ＥＥＧ、ＥＯＧ、血圧および酸素消費量が含まれる。また、周囲の音および加速度計のような装置により検知される体の動きも関連性を有する。その後、このデータを用いて、入眠時刻および起床時刻、睡眠中断および睡眠の質、および睡眠の深さなどについて計算し導出することができる。
【０１５９】
健康指標５５５の睡眠を示す棒グラフは、毎晩の好ましい最小睡眠時間の確保、予測可能な就寝時刻、および起床時刻を含む健康な日課について表示される。この棒グラフの計算を可能にする特定のパラメーターには、センサー装置により感知されるかユーザーが入力する毎日の睡眠時刻および起床時刻と、ユーザーが等級をつけるかまたは他のデータから導出される睡眠の質が含まれる。
【０１６０】
睡眠に関する情報は、図２０に示す睡眠ウェブページ６９０によりユーザーに提示される。睡眠ウェブページ６９０は、センサー装置からのデータまたはユーザーが入力するデータの何れかに基づく睡眠時間表示６９５と、ユーザーの就寝時刻表示７００、および起床時刻表示７０５を含む。なお、ユーザーにより入力される睡眠の質について、睡眠の質ランク７１０を利用し表示することも可能である。また、１日の時間インターバルを超える表示を睡眠ウェブページ６９０において行う場合、睡眠時間表示６９５は累計値として表示し、就寝時刻表示７００、起床時刻表示７０５、および睡眠の質ランク７１０は平均値として計算し、表示することができる。また、睡眠ウェブページ６９０は、所定の時間インターバルにわたって１つの睡眠関連パラメーターを計算し表示するユーザーにより選択可能な睡眠グラフ７１５も含む。図２０は、１日にわたる熱流（体温）の変化を示すが、この熱流は、睡眠中は低く、起きている時は高くなる傾向がある。この情報から、その人のバイオリズムを得ることが可能である。
【０１６１】
また、睡眠グラフ７１５は、体の動きをモニターするセンサー装置に組み込んだ加速度計からのデータをグラフ表示する。また、睡眠ウェブページ６９０は、ユーザーが睡眠に関連するニュース記事、睡眠に関する日課を改善するためのアドバイス、およびネットワーク上にある関連の広告を直接チェックできるようにするハイパーリンク７２０と、関連の時間インターバルを選択するための睡眠カレンダー７２５とを含むことができる。ハイパーリンク７２０で示す項目は、調査において個人から知り得た情報、および健康指標により測定される成績に基づき特別に選択することができる。
【０１６２】
健康指標５５５の「毎日の活動」のカテゴリーは、健康や安全に関連するある特定の活動、およびリスクをユーザーがモニターすることを支援できるように設計されており、すべてユーザーにより入力されるデータに基づくものである。毎日の生活の活動に関する「毎日の活動」のカテゴリーは、下位概念の４つのカテゴリーが挙げられる。具体的には、（１）歯ブラシまたはフロスを用いる歯の手入れやシャワーを浴びるような活動をユーザーがモニターするのを可能にする個人的衛生に係る項目、（２）ユーザーが処方箋通りの薬またはサプリメントを飲んでいるか否かを追跡し、煙草またはアルコールの消費量などをユーザーがモニターするのを可能にする健康維持に係る項目、（３）家族または友人と共に過ごす時間やレジャーおよび精神集中活動をユーザーがモニターするのを可能にする個人的時間に係る項目、（４）家庭の雑用のような仕事および家計活動をユーザーがモニターするのを可能にする責任に係る項目、に分けられる。
【０１６３】
「毎日の活動」のカテゴリーにおいて、健康指標５５５の「毎日の活動」を示す棒グラフは、以下に述べる推奨される健康的な日課について表示することが好ましい。個人の衛生に関する日課の一例としては、ユーザーが毎日シャワーを浴びるか入浴し、毎日ブラシとフロスを用いて歯を清潔に保ち、規則的な便通を維持することが望ましい。また、健康維持に関する日課の一例としては、ユーザーが薬、ビタミン剤および／またはサプリメントを飲み、禁煙し、節酒し、健康マネージャーにより毎日、健康をモニターすることが望ましい。個人的時間に関する日課の一例としては、ユーザーが毎日少なくとも所定時間は家族と過ごす時間を創出し、および／または友人と良質な時間を過ごし、仕事を行う時間を減らし、レジャーまたは遊びの時間を取り入れ、頭を使う活動を行うことが望ましい。責任に関する日課の一例としては、ユーザーが家の雑事を行い、仕事に遅れず、約束を守ることが望ましい。棒グラフは、ユーザーが入力する情報により決定される、および／またはユーザーが毎日リストアップされた活動を完了する度合いに基づき計算される。
【０１６４】
これらの活動に関する情報は、図２１に示す毎日の活動ウェブページ７３０によりユーザーに提示される。毎日の活動ウェブページ７３０における活動チャート７３５は、ユーザーがその日課により必要とされることを実行したか否かを示す。活動チャート７３５は、下位概念のうちの１つまたはそれ以上について選択可能である。活動チャート７３５では、色または影がついたボックスは、必要とされる活動をユーザーが実行したことを示し、色または影のないボックスは、その活動をユーザーが実行していないことを示している。活動チャート７３５は、選択可能な時間インターバルにおいて作成し、見ることが可能である。図２１は、特定の週における個人的衛生および個人的時間のカテゴリーを一例として示している。さらに、毎日の活動ウェブページ７３０は、ユーザーが関連のあるニュース記事、毎日の生活の活動に関する日課を改善するためのアドバイス、およびネットワーク上の関連の広告を直接チェックできるようにするハイパーリンク７４０と、関連の時間インターバルを選択するための毎日の活動のカレンダー７４５とを含むことができる。ハイパーリンク７４０に示す項目は、調査において個人から知り得た情報、および健康指標により決定される成績に基づき選択することができる。
【０１６５】
健康指標５５５の「元気度」のカテゴリーは、特定の日に元気であったか否かの認識をユーザーがモニターするのを可能にするように設計され、ユーザーが直接入力する本質的に主観的な等級情報に基づくものである。ユーザーは、以下の９つの領域、即ち、（１）精神的鋭敏さ、（２）精神的および心理的幸福度、（３）エネルギーレベル、（４）人生のストレスへの対処能力、（５）対面を重んじる度合い、（６）物理的幸福度、（７）自己抑制、（８）動機、（９）他人との関係による慰め、に関して、好ましくは１から５までのスケールを用いてランク付けを行う。これらの度合い（等級）を平均して、健康指標５５５の棒グラフの計算に使用する。
【０１６６】
図２２は、元気度のウェブページ７５０を示す。元気度のウェブページ７５０は、連続または不連続の任意の日にちを含む、ユーザーが選択可能な時間インターバルにわたる元気度を、ユーザーがチェックできるようにする。なお、図２２で示す例では、元気度を健康指数として表示している。元気度のウェブページ７５０では、元気度の選択ボックス７６０を用いることにより、ユーザーは、１つのカテゴリーについて元気度の棒グラフ７５５をチェックする選択を行うか、または２つのカテゴリー、またはそれ以上のカテゴリーについて元気度の棒グラフ７５５を並べて比較することができる。例えば、ユーザーは、前月と比べて総合的な睡眠の等級が改善されたか否かをチェックするために、睡眠の棒グラフだけを作動状態にしたい場合がある。あるいは、睡眠と活動レベルとを同時に表示することにより、睡眠の等級とそれに対応する活動レベルの等級とを比較評価して、それぞれの日にちの間に何らかの相関関係が存在するか否かをチェックする場合がある。所定の時間インターバルについて栄養の等級と元気度の等級とを表示して、毎日の食事習慣とそのインターバルの間の食事習慣と元気度との間に何らかの相関関係が存在するか否かをチェックする場合がある。図２２は、説明のための一例として、６月８日から６月１４日の週の睡眠と活動レベルの棒グラフによる比較を示す。また、元気度のウェブページ７５０は、ユーザーがログインしてヘルスマネージャーを利用した日数の合計、ユーザーが入会以来ヘルスマネージャーを利用した日にちの割合、およびユーザーがデータを収集するためにセンサー装置を利用した時間の割合のようなアクセス情報、および統計を表示する追跡計算器７６５も含む。
【０１６７】
図１６に示すヘルスマネージャーの起点となるウェブページ５５０の一例は、それぞれが健康度としての健康指標５５５のカテゴリーに対応するユーザーにより選択可能な複数のカテゴリーの要約５５６ａないし５５６ｆを含む。各カテゴリーの要約５５６ａないし５５６ｆは、対応するカテゴリーに関して予め選択しフィルターをかけたデータの副集合を提示する。栄養カテゴリーの要約５５６ａは、カロリー摂取量の毎日の目標値と実際値とを示す。活動レベルカテゴリーの要約５５６ｂは、燃焼カロリー量の毎日の目標値と実際値とを示す。精神集中カテゴリーの要約５５６ｃは、精神集中の深さの目標値および実際値を示す。睡眠カテゴリーの要約５５６ｄは、目標の睡眠時間、実際の睡眠時間、および睡眠の質の等級を示す。毎日の活動カテゴリーの要約５５６ｅは、推奨される健康的な日課（毎日の活動）に対する完了した活動の割合に基づく目標点数および実際点数を表示する。元気度のカテゴリーの要約５５６ｆは、その日の元気度の目標および実際の等級を示す。
【０１６８】
また、ウェブページ５５０は、ニュース記事へのハイパーリンク（不図示）、最初の調査によりチェックされる栄養不良のような傾向に基づくユーザーへのコメント（不図示）、および合図（不図示）を含むこともできる。情報を毎日ユーザーに提供する毎日の日課部分５５７を含むこともできる。毎日の日課部分５５７のコメントとしては、例えば、毎日必要となる水の摂取量や、それを可能とする具体的手段のアドバイスなどを表示することができる。また、ウェブページ５５０は、健康指標５５５の各カテゴリーにおけるユーザーの成績を積極的に評価して改善のためのアドバイスを提示する問題解決セクション５５８を含むことができる。例えば、システムによりユーザーの睡眠レベルが「低」で、ユーザーが不眠症であることを示唆する場合、問題解決セクション５５８は睡眠を改善するための方法をアドバイスすることができる。また、問題解決セクション５５８は、成績の改善に関するユーザーの質問を含むことができる。また、ウェブページ５５０は、入力ダイアログボックスを立ち上げる毎日のデータセクション５５９を含むことができる。入力ダイアログボックスにより、ユーザーはヘルスマネージャーにより必要とされる種々のデータの入力を容易に行うことができる。当該技術分野において知られているように、データの入力は予め提示されたリストまたは普通の自由テキスト形式の入力かの選択が可能である。また、ウェブページ５５０は、ユーザーの身長、体重、体の測定値、ＢＭＩ、および心拍数、血圧または任意の生理学的パラメーターのような生命兆候に関する情報を与える体の状態セクション５６１を含むことができる。
【符号の説明】
【０１６９】
１…生体情報測定装置、１０…バンド部、１２…バンド穴、１４…バックル部、１５…バンド挿入部、１６…突起部、３０…ケース部、３４…トップケース、３５…端子部、３６…ボトムケース、４０…センサー部、４２…脈波センサー、４４…加速度センサー、４６…体温計、５０…透光部材、５２…凸部、５４…溝部、５６…凹部、５８…押圧抑制部（第２凸部）、７０…遮光用部材、８０…絞り部、１００…遮光壁、１４０…受光部、１５０…発光部、１５１…ドーム型レンズ、１６０…基板、１８０…振動発生部、２００，４７０…制御部、２１０…信号処理部、２２０…拍動演算部、２３０…報知制御部、２４０，４８０…記憶部、２５０，４６０…通信部、２６０…表示部、２６３，２６４…報知画面、２７１…脈拍表示、２７２…電池マーク、２７３…充電量表示、２７５…充電中表示、２７６…給電中表示、３１０，３２０…充電ポート、３３０…二次電池、４２０…携帯端末、４５０…データベース、５００…生体情報測定システム、１０１０，１０２０，１０３０，１０４０…心拍数監視装置、１０１２，１０２２…センサー、１０３４…電気的接続端子、１０５２…プロセッサー、１０５４…ドライバー、１１２１，１２２１，１２２３…発光素子、１１２２，１２２２…受光素子。
【図１】
2016144560.tif 000003
【図２】
2016144560.tif 000004
【図３】
2016144560.tif 000005
【図４】
2016144560.tif 000006
【図５】
2016144560.tif 000007
【図６】
2016144560.tif 000008
【図７】
2016144560.tif 000009
【図８】
2016144560.tif 000010
【図９】
2016144560.tif 000011
【図１０】
2016144560.tif 000012
【図１１】
2016144560.tif 000013
【図１２】
2016144560.tif 000014
【図１３】
2016144560.tif 000015
【図１４】
2016144560.tif 000016
【図１５】
2016144560.tif 000017
【図１６】
2016144560.tif 000018
【図１７】
2016144560.tif 000019
【図１８】
2016144560.tif 000020
【図１９】
2016144560.tif 000021
【図２０】
2016144560.tif 000022
【図２１】
2016144560.tif 000023
【図２２】
2016144560.tif 000024